(57)【特許請求の範囲】
【請求項１】
本体ケーシング（２ａ，４１０，５６５，６５０，７２０）と、
前記本体ケーシングの内部に設けられたコネクタ（１５０，１５０Ａ，１５０Ｂ）と、
屋内環境の調整に使用される情報の送受信に用いられる無線通信用の電波を送受信するためのアンテナ（２３０）と、前記アンテナで電波の送受信を行なうために前記アンテナとの間で電気信号の送受信を行なう無線ＩＣチップ（２５０）と、前記コネクタに対する挿入及び抜去ができるように配設され、前記コネクタと前記無線ＩＣチップとの間の回路接続を行なわせるための接続端子（２０３）と、前記接続端子を除きかつ前記無線ＩＣチップ及び前記アンテナを含む電気回路の全体を覆う絶縁ケース（２１０，２１０Ｂ）とを有するＩＣカートリッジと、
前記本体ケーシング内に設けられ、複数の電気部品が設置されている電装部（１００，４９０，５９０，６９０，７９０）と、
前記電装部との間でデータの送受信が行えるリモートコントローラ（５，４３０，５８０，６０４，６０５，７５０）と
を備え、
前記接続端子が前記コネクタに挿入されることによって前記絶縁ケースが内部に収納されて前記本体ケーシングに支持されるように構成され、前記接続端子が前記コネクタから抜去されることによって前記本体ケーシングから前記絶縁ケースが分離されるように構成され、
さらに、無線機能を付加する無線アダプタのスイッチ機能及び表示機能を形成する複数の電気部品の少なくとも一部が前記リモートコントローラに配置され、前記ＩＣカートリッジが前記コネクタに挿入された状態で前記ＩＣカートリッジと前記電装部が回路接続されて前記ＩＣカートリッジと前記電装部と前記リモートコントローラが協働して前記無線アダプタの機能を発揮するように構成されている、環境調整装置。
【請求項２】
前記無線アダプタのスイッチ機能、表示機能及び電源機能を形成する複数の電気部品の少なくとも一部が前記電装部に配置され、前記ＩＣカートリッジが前記コネクタに挿入された状態で前記ＩＣカートリッジと前記電装部が回路接続されて前記ＩＣカートリッジと前記電装部とが協働して前記無線アダプタの機能を発揮するように構成されている、
請求項１に記載の環境調整装置。
【請求項３】
前記ＩＣカートリッジは、スマートフォン（６）との間でデータの送受信が行えるように構成され、
前記無線アダプタのスイッチ機能及び表示機能を形成する複数の電気部品の少なくとも一部が前記スマートフォンに配置され、前記ＩＣカートリッジが前記コネクタに挿入された状態で前記ＩＣカートリッジと前記電装部が回路接続されて前記ＩＣカートリッジと前記電装部と前記スマートフォンが協働して前記無線アダプタの機能を発揮するように構成されている、
請求項１または請求項２に記載の環境調整装置。
【請求項４】
前記本体ケーシングの内部に設置されている金属部材（１６，１７，１９０，２ｅ）をさらに備え、
前記コネクタは、前記ＩＣカートリッジが挿入された状態で前記アンテナから前記金属部材までの距離が２０ｍｍ以上離れる場所に配置されている、
請求項１から３のいずれか一項に記載の環境調整装置。
【請求項５】
本体ケーシング（２ａ，４１０，５６５，６５０，７２０）と、
前記本体ケーシングの内部に設けられたコネクタ（１５０，１５０Ａ，１５０Ｂ）と、
屋内環境の調整に使用される情報の送受信に用いられる無線通信用の電波を送受信するためのアンテナ（２３０）と、前記アンテナで電波の送受信を行なうために前記アンテナとの間で電気信号の送受信を行なう無線ＩＣチップ（２５０）と、前記コネクタに対する挿入及び抜去ができるように配設され、前記コネクタと前記無線ＩＣチップとの間の回路接続を行なわせるための接続端子（２０３）と、前記接続端子を除きかつ前記無線ＩＣチップ及び前記アンテナを含む電気回路の全体を覆う絶縁ケース（２１０，２１０Ｂ）とを有するＩＣカートリッジと、
前記本体ケーシング内に設けられ、複数の電気部品が設置されている電装部（１００，４９０，５９０，６９０，７９０）と、
を備え、
前記ＩＣカートリッジは、スマートフォン（６）との間でデータの送受信が行えるように構成され、
前記接続端子が前記コネクタに挿入されることによって前記絶縁ケースが内部に収納されて前記本体ケーシングに支持されるように構成され、前記接続端子が前記コネクタから抜去されることによって前記本体ケーシングから前記絶縁ケースが分離されるように構成され、
さらに、無線機能を付加する無線アダプタのスイッチ機能及び表示機能を形成する複数の電気部品の少なくとも一部が前記スマートフォンに配置され、前記ＩＣカートリッジが前記コネクタに挿入された状態で前記ＩＣカートリッジと前記電装部が回路接続されて前記ＩＣカートリッジと前記電装部と前記スマートフォンが協働して前記無線アダプタの機能を発揮するように構成されている、環境調整装置。
【請求項６】
前記無線アダプタのスイッチ機能、表示機能及び電源機能を形成する複数の電気部品の少なくとも一部が前記電装部に配置され、前記ＩＣカートリッジが前記コネクタに挿入された状態で前記ＩＣカートリッジと前記電装部が回路接続されて前記ＩＣカートリッジと前記電装部とが協働して前記無線アダプタの機能を発揮するように構成されている、
請求項５に記載の環境調整装置。
【発明の詳細な説明】
【技術分野】
【０００１】
本発明は、無線機能を付加するためのＩＣカートリッジ及び、ＩＣカートリッジを備える、屋内の環境を調整するための環境調整装置に関する。
【背景技術】
【０００２】
従来から、空気調和機などの屋内環境を調整する環境調整装置をネットワーク接続してネットワークを介して屋内の居住環境の制御に必要な情報のやり取りを行うことができる環境調整装置が開発されている。例えば、特許文献１（特開２０１４−３１９５７号公報）に記載されている空気調和機では、外部に取り付けられた無線アダプタを介してインターネットなどのネットワークに接続される。しかし、空気調和機の制御装置が室内機内部の電装品箱の中に格納されていることから、外部無線アダプタと制御装置とを接続するためには、室内機を開いて、電装品箱の中の制御装置と外部無線アダプタとを接続する必要があった。このように、外付けの無線アダプタを用いる場合の取り付け作業が煩雑で、外付けの無線アダプタ自身が安全構造を有しなければならないことから、特許文献２（特開２０１５−３１４８０号公報）に記載されているように、無線アダプタを室内機の内部に収納するものが提案されている。また、特許文献３（特開２０１４−１２０９６４号公報）に記載されているように、電装品箱の中に無線通信ユニットを組み込むことが提案されている。
【発明の概要】
【発明が解決しようとする課題】
【０００３】
しかしながら、特許文献２や特許文献３に記載されているように、空気調和機の中に無線アダプタ又は無線通信ユニットを内蔵した場合には、無線アダプタなどの機器の価格が上乗せされるだけでなく、空気調和機が使用される国によっては電波法に係る認証を空気調和機の機種毎にとることが必要になり、さらなるコストの増加が考えられる。
【０００４】
本発明の課題は、環境調整装置に無線機能を安価にかつ安全に付加することのできるＩＣカートリッジを提供することである。また、無線機能を安価にかつ安全に付加することが可能な環境調整装置を提供することである。
【課題を解決するための手段】
【０００５】
本発明の第１観点に係る環境調整装置は、本体ケーシングと、本体ケーシングの内部に設けられたコネクタと、ＩＣカートリッジと、本体ケーシング内に設けられ、複数の電気部品が設置されている電装部と、電装部との間でデータの送受信が行えるリモートコントローラとを備え、接続端子がコネクタに挿入されることによって絶縁ケースが内部に収納されて本体ケーシングに支持されるように構成され、接続端子がコネクタから抜去されることによって本体ケーシングから絶縁ケースが分離されるように構成され、無線機能を付加する無線アダプタのスイッチ機能及び表示機能を形成する複数の電気部品の少なくとも一部がリモートコントローラに配置され、ＩＣカートリッジがコネクタに挿入された状態でＩＣカートリッジと電装部が回路接続されてＩＣカートリッジと電装部とリモートコントローラが協働して無線アダプタの機能を発揮するように構成されている、ものである。また、ＩＣカートリッジは、屋内環境の調整に使用される情報の送受信に用いられる無線通信用の電波を送受信するためのアンテナと、アンテナで電波の送受信を行なうためにアンテナとの間で電気信号の送受信を行なう無線ＩＣチップと、コネクタに対する挿入及び抜去ができるように配設され、コネクタと無線ＩＣチップとの間の回路接続を行なわせるための接続端子と、接続端子を除きかつ無線ＩＣチップ及びアンテナを含む電気回路の全体を覆う絶縁ケースとを有する。
【０００６】
この環境調整装置では、ＩＣカートリッジが、絶縁ケースが接続端子を除きかつ無線ＩＣチップ及びアンテナを含む電気回路の全体を覆うことから、作業者がＩＣカートリッジを手で掴んで接続端子を環境調整装置のコネクタに挿入したり抜去したりしても作業者の手が接続端子とコネクタが接続された後に電気回路に接触することがないので、安全にＩＣカートリッジを取り扱うことができる。また、ＩＣカートリッジの接続端子がコネクタに挿入されることによって絶縁ケースが環境調整装置に支持され、接続端子がコネクタから抜去されることによって環境調整装置から絶縁ケースが分離されることから、ＩＣカートリッジの取り付け作業及び取り外し作業が容易になるので無線機能を付加する作業を省くために無線アダプタの内蔵化を行う必要がなくなり、さらにはＩＣカートリッジごとに無線に係る認証を行えばよくなるようになって環境調整装置の機種ごとの認証を省くことができる場合もあり、環境調整装置に無線機能を安価に付加することができるようになる。
【０００７】
さらに、この環境調整装置では、無線アダプタのスイッチ機能及び表示機能を形成する複数の電気部品の少なくとも一部がリモートコントローラに配置されていることから、ＩＣカートリッジの電気部品点数を減らしてＩＣカートリッジを簡素化して小型化することができる。
【０００８】
本発明の第２観点に係る環境調整装置は、第１観点に係る環境調整装置において、無線アダプタのスイッチ機能、表示機能及び電源機能を形成する複数の電気部品の少なくとも一部が電装部に配置され、ＩＣカートリッジがコネクタに挿入された状態でＩＣカートリッジと電装部が回路接続されてＩＣカートリッジと電装部とが協働して無線アダプタの機能を発揮するように構成されている、ものである。
【０００９】
この環境調整装置では、無線アダプタのスイッチ機能、表示機能及び電源機能を形成する複数の電気部品の少なくとも一部が電装部に配置されていることから、ＩＣカートリッジの電気部品点数を減らしてＩＣカートリッジを簡素化して小型化することができる。
【００１０】
本発明の第３観点に係る環境調整装置は、第１観点または第２観点に係る環境調整装置において、ＩＣカートリッジは、スマートフォンとの間でデータの送受信が行えるように構成され、無線アダプタのスイッチ機能及び表示機能を形成する複数の電気部品の少なくとも一部がスマートフォンに配置され、ＩＣカートリッジがコネクタに挿入された状態でＩＣカートリッジと電装部が回路接続されてＩＣカートリッジと電装部とスマートフォンが協働して無線アダプタの機能を発揮するように構成されている、ものである。
【００１１】
この環境調整装置では、無線アダプタのスイッチ機能及び表示機能を形成する複数の電気部品の少なくとも一部がスマートフォンに配置されていることから、ＩＣカートリッジの電気部品点数を減らしてＩＣカートリッジを簡素化して小型化することができる。
【００１２】
本発明の第４観点に係る環境調整装置は、第１観点から第３観点のいずれかに係る環境調整装置において、本体ケーシングの内部に設置されている金属部材をさらに備え、コネクタは、ＩＣカートリッジが挿入された状態でアンテナから金属部材までの距離が２０ｍｍ以上離れる場所に配置されている、ものである。
【００１３】
この環境調整装置では、コネクタにＩＣカートリッジが挿入された状態でアンテナから金属部材までの距離が２０ｍｍ以上離れることから、アンテナで送受信される電波が金属部材から受ける影響を十分に抑制することができる。
【００１４】
本発明の第５観点に係る環境調整装置は、本体ケーシングと、本体ケーシングの内部に設けられたコネクタと、ＩＣカートリッジと、本体ケーシング内に設けられ、複数の電気部品が設置されている電装部と、を備え、ＩＣカートリッジは、スマートフォンとの間でデータの送受信が行えるように構成され、接続端子がコネクタに挿入されることによって絶縁ケースが内部に収納されて本体ケーシングに支持されるように構成され、接続端子がコネクタから抜去されることによって本体ケーシングから絶縁ケースが分離されるように構成され、さらに、無線機能を付加する無線アダプタのスイッチ機能及び表示機能を形成する複数の電気部品の少なくとも一部がスマートフォンに配置され、ＩＣカートリッジがコネクタに挿入された状態でＩＣカートリッジと電装部が回路接続されてＩＣカートリッジと電装部とスマートフォンが協働して無線アダプタの機能を発揮するように構成されている、ものである。
【００１５】
また、ＩＣカートリッジは、屋内環境の調整に使用される情報の送受信に用いられる無線通信用の電波を送受信するためのアンテナと、アンテナで電波の送受信を行なうためにアンテナとの間で電気信号の送受信を行なう無線ＩＣチップと、コネクタに対する挿入及び抜去ができるように配設され、コネクタと無線ＩＣチップとの間の回路接続を行なわせるための接続端子と、接続端子を除きかつ無線ＩＣチップ及びアンテナを含む電気回路の全体を覆う絶縁ケースとを有する。
【００１６】
この環境調整装置では、ＩＣカートリッジが、絶縁ケースが接続端子を除きかつ無線ＩＣチップ及びアンテナを含む電気回路の全体を覆うことから、作業者がＩＣカートリッジを手で掴んで接続端子を環境調整装置のコネクタに挿入したり抜去したりしても作業者の手が接続端子とコネクタが接続された後に電気回路に接触することがないので、安全にＩＣカートリッジを取り扱うことができる。また、ＩＣカートリッジの接続端子がコネクタに挿入されることによって絶縁ケースが環境調整装置に支持され、接続端子がコネクタから抜去されることによって環境調整装置から絶縁ケースが分離されることから、ＩＣカートリッジの取り付け作業及び取り外し作業が容易になるので無線機能を付加する作業を省くために無線アダプタの内蔵化を行う必要がなくなり、さらにはＩＣカートリッジごとに無線に係る認証を行えばよくなるようになって環境調整装置の機種ごとの認証を省くことができる場合もあり、環境調整装置に無線機能を安価に付加することができるようになる。
【００１７】
さらに、この環境調整装置では、無線アダプタのスイッチ機能及び表示機能を形成する複数の電気部品の少なくとも一部がスマートフォンに配置されていることから、ＩＣカートリッジの電気部品点数を減らしてＩＣカートリッジを簡素化して小型化することができる。
【００１８】
本発明の第６観点に係る環境調整装置は、第５観点に係る環境調整装置において、無線アダプタのスイッチ機能、表示機能及び電源機能を形成する複数の電気部品の少なくとも一部が電装部に配置され、ＩＣカートリッジがコネクタに挿入された状態でＩＣカートリッジと電装部が回路接続されてＩＣカートリッジと電装部とが協働して無線アダプタの機能を発揮するように構成されている、ものである。
【００１９】
この環境調整装置では、無線アダプタのスイッチ機能、表示機能及び電源機能を形成する複数の電気部品の少なくとも一部が電装部に配置されていることから、ＩＣカートリッジの電気部品点数を減らしてＩＣカートリッジを簡素化して小型化することができる。
【発明の効果】
【００２０】
本発明の第１観点または請求項５に係る環境調整装置では、ＩＣカートリッジにより無線機能を安価にかつ安全に付加することができる。
【００２１】
また、本発明の第１観点に係る環境調整装置では、無線機能の付加に必要な電気部品の少なくとも一部がリモートコントローラに配置されることにより、ＩＣカートリッジを安価で取り扱い易いものにすることができる。
【００２２】
本発明の第２観点または請求項６に係る環境調整装置では、無線機能の付加に必要な電気部品の少なくとも一部が電装部に配置されることにより、ＩＣカートリッジを安価で取り扱い易いものにすることができる。
【００２３】
本発明の第３観点または請求項５に係る環境調整装置では、無線機能の付加に必要な機能の少なくとも一部がスマートフォンで実現されることにより、ＩＣカートリッジを安価で取り扱い易いものにすることができる。
【００２４】
本発明の第４観点に係る環境調整装置では、送受信される電波の良好な状態を保ち易くなる。
【図面の簡単な説明】
【００２５】
【図１】本発明の第１実施形態に係る空気調和機の外観を示す斜視図。
【図２】図１に示されている空気調和機の回路図。
【図３】ＩＣカートリッジの外観を示す平面図。
【図４】ＩＣカートリッジと空気調和機の関係を説明するための概念図。
【図５】ＩＣカートリッジの挿抜操作を説明するための部分拡大斜視図。
【図６】（ａ）空気調和機の金属部材とＩＣカートリッジの位置関係を説明するための正面図、（ｂ）空気調和機の金属部材とＩＣカートリッジの位置関係を説明するための底面図、（ｃ）空気調和機の金属部材とＩＣカートリッジの位置関係を説明するための側面図。
【図７】ＩＣカートリッジの下蓋側の内部構造を示す平面図。
【図８】ＩＣカートリッジの上蓋側の内部構造を示す平面図。
【図９】空気調和機の無線機能を構成するための電気部品を説明するためのブロック図。
【図１０】図３のＩ-Ｉ線に沿って切断されたＩＣカートリッジの断面図。
【図１１】ＩＣカートリッジとコネクタについての変形例１Ｆを説明するための概念図。
【図１２】ＩＣカートリッジとコネクタについての変形例１Ｇを説明するための概念図。
【図１３】第２実施形態に係る空気清浄機の斜視図。
【図１４】図１３の空気清浄機の分解斜視図。
【図１５】空気清浄機の電装部を説明するためのブロック図。
【図１６】第３実施形態に係る床暖房装置の回路図。
【図１７】図１６の床暖房装置の斜視図。
【図１８】床暖房装置の水熱交換部の分解斜視図。
【図１９】第４実施形態に係る給湯システムの回路図。
【図２０】図１９の給湯システムの給湯器を示す斜視図。
【図２１】第５実施形態に係る調湿装置の回路図。
【図２２】図２１に示された調湿装置の外観を示す斜視図。
【図２３】図２２に示された調湿装置の内部構造を示す斜視図。
【発明を実施するための形態】
【００２６】
＜第１実施形態＞
環境調整装置は、屋内の環境を調整するための装置である。屋内の環境には、例えば、室内温度、室内湿度、室内空気に含まれる塵埃、及び室内で使用される水（湯）の温度が含まれる。このような屋内の環境を調整する環境調整装置には、例えば、空気調和機、空気清浄機、床暖房装置、給湯器、及び調湿装置が含まれる。そこで、本発明の一実施形態に係る環境調整装置として、空気調和機を例に挙げて説明する。
【００２７】
（１）空気調和機の構成
本発明の第１実施形態に係る空気調和機の構成の概要について図１及び図２を用いて説明する。図１に示す空気調和機１は、室内の壁面ＷＬなどに取り付けられる室内機２と、屋外に設置される室外機３とを備えている。図２は、空気調和機１の回路図である。この空気調和機１は、冷凍回路１０を備えており、冷凍回路１０の中の冷媒を循環させることにより蒸気圧縮式冷凍サイクルを実行することができる。この冷凍回路１０に冷媒を循環させるために、連絡配管４によって、室内機２と室外機３が接続されている。
【００２８】
（１−１）冷凍回路１０
冷凍回路１０は、圧縮機１１と、四路切換弁１２と、室外熱交換器１３と、膨張機構１４と、アキュムレータ１５と、室内熱交換器１６とを備えている。吸入口から冷媒を吸入して圧縮した冷媒を吐出口から吐出する圧縮機１１は、吐出口から吐出した冷媒を四路切換弁１２の第１ポートに対して送出する。
【００２９】
四路切換弁１２は、空気調和機１が暖房運転をするとき、破線で示されているように、第１ポートと第４ポートとの間で冷媒を流通させると同時に第２ポートと第３ポートの間で冷媒を流通させる。また、空気調和機１が冷房運転をするとき、実線で示されているように、四路切換弁１２は、第１ポートと第２ポートの間で冷媒を流通させると同時に第３ポートと第４ポートの間で冷媒を流通させる。
【００３０】
室外熱交換器１３は、四路切換弁１２の第２ポートとの間でガス冷媒を主に流通させるためのガス側出入口を有するとともに、膨張機構１４との間で液冷媒を主に流通させるための液側出入口を有している。室外熱交換器１３は、室外熱交換器１３の液側出入口とガス側出入口との間に接続された伝熱管（図示せず）を流れる冷媒と室外空気との間で熱交換を行なわせる。
【００３１】
膨張機構１４は、室外熱交換器１３と室内熱交換器１６との間に配置されている。膨張機構１４は、室外熱交換器１３と室内熱交換器１６の間を流れる冷媒を膨張させて減圧する機能を有している。
【００３２】
室内熱交換器１６は、膨張機構１４との間で液冷媒を流通させるための液側出入口を有するとともに、四路切換弁１２の第４ポートとの間でガス冷媒を流通させるためのガス側出入口を有している。室内熱交換器１６は、室内熱交換器１６の液側出入口とガス側出入口との間に接続された伝熱管（図示せず）を流れる冷媒と室内空気との間で熱交換を行なわせる。
【００３３】
四路切換弁１２の第３ポートと圧縮機１１の吸入口との間には、アキュムレータ１５が配置されている。アキュムレータ１５では、四路切換弁１２の第３ポートから圧縮機１１に流れる冷媒がガス冷媒と液冷媒とに分離される。そして、アキュムレータ１５から圧縮機１１の吸入口には主にガス冷媒が供給される。
【００３４】
（１−２）室外ファン、室内ファン及びセンサ
室外機３は、室外熱交換器１３を通過する室外空気の気流を発生させるための室外ファン２１を備えている。室内機２は、室内熱交換器１６を通過する室内空気の気流を発生させるための室内ファン３１を備えている。また、室外機３は、各種センサを備えており、例えば、室外空気の温度を測定するための室外温度センサ２２と、室外熱交換器１３の温度を測定するための室外熱交換器用温度センサ２３とを備えている。また、室内機２も、各種センサを備えており、例えば、室内空気の温度を測定するための室内温度センサ３２と、室内熱交換器１６の温度を測定するための室内熱交換器用温度センサ３３とを備えている。
【００３５】
（１−３）電装部
電装部１００は、室外電装部１０１と室内電装部１０２とを含んでいる。室外電装部１０１の中には、圧縮機１１、四路切換弁１２、膨張機構１４及び室外ファン２１を制御する室外側制御装置２４が含まれる。この室外側制御装置２４は、例えばＣＰＵ（図示せず）とメモリー（図示せず）を備えており、記憶されているプログラムなどに従って室外機３の制御を行うことができる構成になっている。また、室内電装部１０２の中には、室内ファン３１を制御する室内側制御装置３４が含まれる。この室内側制御装置３４は、例えば、後述する電装品箱１９０（図６（ｃ）参照）の内部に収納されているＣＰＵ（図示せず）とメモリー（図示せず）を備えており、記憶されているプログラムなどに従って室外機３の制御を行うことができる構成になっている。そして、室外側制御装置２４と室内側制御装置３４とは、相互に信号線で接続され、互いに信号を送受信できるように構成されている。
【００３６】
室外側制御装置２４には、室外温度センサ２２及び室外熱交換器用温度センサ２３が測定した温度に関する信号を受信するために、室外温度センサ２２及び室外熱交換器用温度センサ２３が接続されている。また、室内側制御装置３４には、室内温度センサ３２及び室内熱交換器用温度センサ３３が測定した温度に関する信号を受信するために、室内温度センサ３２及び室内熱交換器用温度センサ３３が接続されている。
【００３７】
さらに、室内電装部１０２には、表示部１１０が設けられており、表示部１１０には、例えばＬＥＤ１１１が含まれている（図６（ａ）及び図６（ｂ）参照）。また、図２に示されているように、室内電装部１０２に対してＩＣカートリッジ２００を挿抜することができるように構成されている。ＩＣカートリッジ２００は、室内電装部１０２に挿入された状態で室内機２に支持される。換言すると電装部１００に挿入された状態でＩＣカートリッジ２００が空気調和機１に支持される。具体的には、ＩＣカートリッジ２００の自重が軽いため、ＩＣカートリッジ２００はコネクタ１５０によって支持される。
【００３８】
室内電装部１０２に対するＩＣカートリッジ２００の挿抜を行うために、また室内電装部１０２に挿入されたＩＣカートリッジ２００を保護するために、室内機２の開閉可能な本体ケーシング２ａに外蓋２ｂが設けられている。この外蓋２ｂは、例えば室内機２の前面パネル２ｇ（図１参照）である。ＩＣカートリッジ２００がコネクタ１５０に差し込まれた状態において、この外蓋２ｂで覆われる作業空間ＷＳに、ＩＣカートリッジ２００の第２縁部２１２が突出するように、本体ケーシング２ａが構成されている。作業者は、外蓋２ｂを開けて第２縁部２１２を例えば手で掴むことにより、ＩＣカートリッジ２００の挿抜を行うことができる。
【００３９】
（１−４）リモートコントローラ５及びスマートフォン６
図１に示されているように、空気調和機１は、リモートコントローラ５を備えている。リモートコントローラ５は、例えば、赤外線によって、指令を電装部１００に対して送信する。また、リモートコントローラ５は、電装部１００から赤外線によって送信される信号を受信できるように構成されていてもよい。また、リモートコントローラ５は、電線で室内機２に接続されて、電線を介して信号の送受信ができるように構成されてもよい。リモートコントローラ５には、液晶表示部５ａ及び複数のボタン５ｂが設けられている。
【００４０】
図１に示されている空気調和機１は、インターネットを介してスマートフォン６に接続可能に構成されている。空気調和機１とスマートフォン６との接続は、ＩＣカートリッジ２００を使って実現される無線機能によって行われる。
【００４１】
（２）ＩＣカートリッジ
図３には、ＩＣカートリッジ２００の平面形状が示されている。ＩＣカートリッジ２００は、絶縁ケース２１０と複数の接続端子２０３を備えている。ＩＣカートリッジ２００の長さＬ１は、例えば数ｃｍから十数ｃｍであり、幅Ｗ１は、例えば長さＬ１の半分程度であり、厚みＤ１（図１０参照）は、例えば数ｍｍから１ｃｍである。図３に示されている二点鎖線と第２縁部２１２の縁の間の領域が、作業空間ＷＳに突出する突出領域Ａｒ１である。絶縁ケース２１０は、これら複数の接続端子２０３を露出させている以外はＩＣカートリッジ２００の電気回路２２０（図３参照）を覆っている。
【００４２】
複数の接続端子２０３が形成されているのは、絶縁ケース２１０の第１縁部２１１である。また、絶縁ケース２１０において第１縁部２１１に対向する箇所が第２縁部２１２であり、作業者は、ＩＣカートリッジ２００の挿抜時に頻繁に手などで掴む箇所が、第２縁部２１２又はその近傍になる。絶縁ケース２１０の４つの縁部のうち、第３縁部２１３と第４縁部２１４は、第１縁部２１１と第２縁部２１２と直交する縁の周囲である。これら第１縁部２１１から第４縁部２１４まではある程度の面積を持っているので、互いに一部重なる領域がある。また、突出領域Ａｒ１には、ＷＰＳボタン２０１とＬＥＤ２０２が配置されている。ここで、ＷＰＳは、Ｗｉ-Ｆｉ（登録商標）  Protected  Setupの略称である。このＩＣカートリッジ２００では、ＷＰＳボタン２０１を押すと、ＷＰＳ機能を使って簡単に無線ＬＡＮの設定を行うことができる。ＬＥＤ２０２は、電源のオン／オフを表示するためのＰＯＷＥＲランプである。ＩＣカートリッジ２００には後述する制御及び電源供給用プリント配線基板３５（図４参照）から電源が供給されており、ＩＣカートリッジ２００が運転状態にあれば、ＬＥＤ２０２が発光する。
【００４３】
（２−１）本体ケーシングにおけるＩＣカートリッジの配置
図４には、ＩＣカートリッジ２００が室内機２の本体ケーシング２ａ内の室内電装部１０２に挿入された状態が概念的に示されている。図４に示されているように、室内電装部１０２は、制御及び電源供給用プリント配線基板３５と表示用プリント配線基板３６とを含んでいる。制御及び電源供給用プリント配線基板３５には、後述する電装品箱１９０（図６（ｃ）参照）の内部に収納されており、室内側制御装置３４と電源回路３７が形成されている。電源回路３７は、例えば、１００Ｖ又は２００Ｖの交流電圧を供給する商用電源８から室内側制御装置３４を動作させるために必要な例えば１２Ｖの直流電圧を生成する。制御及び電源供給用プリント配線基板３５から表示用プリント配線基板３６には、電源回路３７で生成された直流電圧が供給される。
【００４４】
表示用プリント配線基板３６には、上述のＬＥＤ１１１が配置されている。表示用プリント配線基板３６には、ＩＣカートリッジ２００が挿入されるコネクタ１５０が取り付けられている。表示用プリント配線基板３６は、内壁２ｃよりもさらに内部にある内部空間ＩＳに配置されている。外蓋２ｂと内壁２ｃとの間が作業空間ＷＳになっている。この内壁２ｃには、絶縁ケース２１０の幅Ｗ１と厚みＤ１より僅かに大きいだけの細長い穴であるスロット入口２ｄ（図５参照）が形成されている。このスロット入口２ｄを使って、ＩＣカートリッジ２００の挿抜が行われる。
【００４５】
図４に示されているように、ＩＣカートリッジ２００の複数の接続端子２０３がコネクタ１５０に挿入されてＩＣカートリッジ２００と室内電装部１０２が接続された状態で、ＩＣカートリッジ２００の突出領域Ａｒ１は、内壁２ｃの外に突出して作業空間ＷＳに配置される。このように、突出領域Ａｒ１が作業空間ＷＳに配置されることにより、ＩＣカートリッジ２００の挿抜時に突出領域Ａｒ１を作業者が掴むことができるのでＩＣカートリッジ２００の挿抜が容易になる。
【００４６】
図６（ａ）、図６（ｂ）及び図６（ｃ）には、それぞれ、室内機２の本体ケーシング２ａの正面から見たとき、本体ケーシング２ａを下面から見たとき及び本体ケーシング２ａの側面から見たときのＩＣカートリッジ２００の配置位置が示されている。図６（ａ）、図６（ｂ）及び図６（ｃ）により、ＩＣカートリッジ２００の周囲にある金属部材が示されている。ＩＣカートリッジ２００の周囲にある主な金属部材は、室内熱交換器１６、銅配管１７、金属製の電装品箱１９０及び金属製の据え付け板２ｅである。ＩＣカートリッジ２００は、電装品箱１９０の外部に配置されている表示用プリント配線基板３６に装着される。後述するアンテナ２３０（図７参照）は、ＩＣカートリッジ２００を右側面から挿入したり抜去したりする場合には、右側面２ｆに近い側に配置される。このように、ＩＣカートリッジ２００が表示用プリント配線基板３６のコネクタ１５０（図４参照）にはめ込まれた状態で、アンテナ２３０から室内熱交換器１６、銅配管１７、金属製の電装品箱１９０及び金属製の据え付け板２ｅまでの距離は、いずれも２０ｍｍ以上である。言い換えると、コネクタ１５０は、ＩＣカートリッジ２００が挿入された状態でアンテナ２３０から金属部材である室内熱交換器１６、銅配管１７、電装品箱１９０及び据え付け板２ｅまでの距離が２０ｍｍ以上離れる場所に配置されているということである。
【００４７】
（２−２）ＩＣカートリッジの内部構造
図７及び図８には、絶縁ケース２１０が下蓋２１５と上蓋２１６とに分離されて、電気回路２２０が下蓋２１５に設置されている状態が示されている。電気回路２２０及び複数の接続端子２０３を含む接続端子群２９０は、ＩＣチップ用プリント配線基板２４０の上に設けられている。これら複数の接続端子２０３に対応して、上蓋２１６の第１縁部２１１には、複数の長方形状の開口部２１７が形成されている。
【００４８】
図８には、ＩＣチップ用プリント配線基板２４０の回路構成が示されている。ＩＣチップ用プリント配線基板２４０に形成されている電気回路２２０は、アンテナ２３０以外に、無線ＩＣチップ２５０とシリアル・フラッシュメモリ２６０とドライバ／レシーバ２７０とＤＣ-ＤＣコンバータ２８０とを含んでいる。
【００４９】
また、図９には、無線機能を構成するための電気部品であるスイッチ群３１０、ＬＥＤ群３２０、ＤＣ-ＤＣコンバータ３３０、セキュリティチップ３５０及び端子台３６０が表示用プリント配線基板３６に配置されていることが示されている。表示用プリント配線基板３６には室内機２の表示用の電気部品も実装されているが、図９では、室内機２の専用の電気部品の記載が省略されている。セキュリティチップ３５０は、セキュリティ関連の処理機能を実装した集積回路である。なお、ＬＥＤ群３２０は、室内機２の表示部１１０に含まれるＬＥＤ１１１と兼用されてもよい。あるいは、ＬＥＤ群３２０は、室内機２の表示部１１０に含まれるＬＥＤ１１１とは別個に設けられてもよい。
【００５０】
端子台３６０には、電装品箱１９０の内部にある例えば制御及び電源供給用プリント配線基板３５などとの接続を行うための配線が接続されている。端子台３６０を介してＤＣ１４Ｖの電圧がＤＣ-ＤＣコンバータ３３０に供給されている。ＤＣ-ＤＣコンバータ３３０は、ＤＣ１４Ｖの電圧をＤＣ５Ｖの電圧に変換して、コネクタ１５０に接続された接続端子群２９０を介してＩＣカートリッジ２００内部のＤＣ-ＤＣコンバータ２８０及びドライバ／レシーバ２７０にＤＣ５Ｖの電圧を供給する。ＤＣ-ＤＣコンバータ２８０は、ＤＣ５Ｖの電圧をＤＣ３．３Ｖの電圧に変換して、ＤＣ３．３Ｖの電圧をＩＣカートリッジ２００の電気回路２２０に供給する。
【００５１】
端子台３６０を介して接続端子群２９０(コネクタ１５０)と制御及び電源供給用プリント配線基板３５との間では、制御信号ＴＸＤ，ＲＸＤが伝送される。この接続端子群２９０（コネクタ１５０）とドライバ／レシーバ２７０とを介して無線ＩＣチップ２５０と制御及び電源供給用プリント配線基板３５との間で制御信号ＴＸＤ，ＲＸＤが送受信される。無線ＩＣチップ２５０とセキュリティチップ３５０との間では、接続端子群２９０（コネクタ１５０）を介してシリアル・ペリフェラル・インタフェース（ＳＰＩ）にて情報の遣り取りが行われる。また、無線ＩＣチップ２５０とスイッチ群３１０及び無線ＩＣチップ２５０とＬＥＤ群３２０との間では、コネクタ１５０（接続端子群２９０）を介してＤＣ０．０Ｖの電圧の印加と非印加が選択的に行われる。例えば、スイッチ３１１，３１２がオンされれば、オンされたスイッチ３１１，３１２から無線ＩＣチップ２５０にＤＣ０．０Ｖの電圧が印加される。スイッチ３１１，３１２がオフされれば、オフされたスイッチ３１１，３１２から無線ＩＣチップ２５０へのＤＣ０．０Ｖの電圧供給が遮断される。これらスイッチ３１１，３１２のオン／オフにより、無線ＩＣチップ２５０の設定が行われる。また、例えば、無線ＩＣチップ２５０からＬＥＤ３２１，３２２，３２３にＤＣ３．３Ｖの電圧が印加されると、印加されたＬＥＤ３２１，３２２，３２３が発光する。つまり、無線ＩＣチップ２５０は、ＤＣ３．３Ｖの電圧を選択的にＬＥＤ３２１，３２２，３２３に印加することにより、無線機能に関する表示を行うことができる。
【００５２】
無線ＩＣチップ２５０には、アンテナ２３０が接続されている。このアンテナ２３０により、無線ＩＣチップ２５０は、屋内の環境の調整に使用される情報の送受信のために無線通信用の電波を送受信することができる。空気調和機１において屋内の環境の調整に使用される情報としては、例えば、室内温度及び室内湿度がある。この無線ＩＣチップ２５０は、シリアル・フラッシュメモリ２６０にこれらの情報を一時的に記憶することができる。
【００５３】
アンテナ２３０は、図７に示されているように、電気回路２２０が形成されている回路領域であるＩＣチップ用プリント配線基板２４０の内の第２縁部２１２に近接する場所Ａｒ２まで延在されている。この場所Ａｒ２は、図４に示されているように、作業空間ＷＳに突出する突出領域Ａｒ１に含まれる領域である。
【００５４】
さらに、電気回路２２０には、ＷＰＳスイッチ２２１が設けられている。ＷＰＳボタン２０１は、ＷＰＳスイッチ２２１を押すための絶縁性の棒状部材である。ＷＰＳボタン２０１の横に並べて配置されているＬＥＤ２０２は、例えば、導光体２０２ａが設けられている。導光体２０２ａはＬＥＤ２０２の光を導くための絶縁性の部材である。このようにＷＰＳボタン２０１及びＬＥＤ２０２には、十分な絶縁処理が施されている。
【００５５】
（２−３）ＩＣカートリッジの絶縁構造
図１０には、図３に示されているようにＩ−Ｉ線でＩＣカートリッジ２００を切断した断面形状が示されている。互いに合わさった下蓋２１５と上蓋２１６との間には、電気回路収納空間ＥＳが形成されている。電気回路収納空間ＥＳには、ＩＣチップ用プリント配線基板２４０が収納されている。下蓋２１５は、電気回路２２０の絶縁物とするために、ＩＣチップ用プリント配線基板２４０が収納されている部分の厚みＤ２は１ｍｍ以上に設定されている。ここでは、上蓋２１６も下蓋２１５と同様の厚みに設定されている。
【００５６】
この電気回路収納空間ＥＳと第２縁部２１２の縁２１２ａとの間には、下蓋２１５の凸部２１８及び、その凸部２１８が嵌合する上蓋２１６の凹部２１９が形成されている。また、この電気回路収納空間ＥＳと第２縁部２１２の縁２１２ａとの間には、上蓋２１６の凸部２１８及び、その凸部２１８が嵌合する下蓋２１５の凹部２１９が形成されている。これら凹凸構造２０４により、電気回路収納空間ＥＳから第２縁部２１２の縁２１２ａまでの沿面距離が、凹凸構造２０４の無い場合に比べて長くなっている。ここでは、商用電源８が１００Ｖ又は２００Ｖの交流電圧を供給することから、凹凸構造２０４により、沿面距離を好ましくは３ｍｍ以上、さらに好ましくは１０ｍｍ以上確保される。
【００５７】
（２−３）無線アダプタ機能の分担
無線アダプタとしての機能を発揮するために、ＩＣカートリッジ２００が差し込まれた状態で、例えば、ＷＰＳボタン２０１及びＰＯＷＥＲランプであるＬＥＤ２０２以外に、ＭＯＤＥボタンとＲＵＮランプとＡＰランプとＴＥＳＴランプが室内機２に設定される。無線アダプタとは、無線機能を持たない装置に装着することで、その装置に無線機能を付加する装置である。
【００５８】
ＷＰＳボタン２０１が図示しないルーター（無線ＬＡＮアクセスポイント）を接続する際に使用されるものであったのに対し、ＭＯＤＥボタンは、モード（各ランプ）を切り換えるために使用される。また、ＭＯＤＥボタンを使って、例えば、インターネットを介した外部からの遠隔操作の有効／無効が行われる。このようなＭＯＤＥボタンには、例えば、スイッチ３１１が割り当てられる。無線機能を付加する無線アダプタのスイッチ機能を形成する電気部品であるＷＰＳボタン２０１がＩＣカートリッジ２００に設けられている一方、無線機能を付加する無線アダプタのスイッチ機能を形成する電気部品であるＭＯＤＥボタンのスイッチ３１１が表示用プリント配線基板３６に設けられている。これはつまり、無線機能を付加する無線アダプタのスイッチ機能を形成する電気部品の一部であるスイッチ３１１が電装部１００に配置されているということである。これら電装部１００のスイッチ３１１とＩＣカートリッジ２００のＷＰＳボタン２０１とが協働して無線アダプタのスイッチ機能を発揮する。
【００５９】
ＲＵＮランプは、例えば、ルーター（無線ＬＡＮアクセスポイント）と接続した際に点灯するように設定される。このようなＲＵＮランプには、ＬＥＤ３２１が割り当てられる。ＡＰランプは、例えば、スマートフォン６に直接、無線ＬＡＮ接続する際に点灯するように設定される。このＡＰランプには、ＬＥＤ３２２が割り当てられる。ＴＥＳＴランプは、例えば、ＩＣカートリッジ２００を用いて実現される空気調和機１の無線機能のテスト動作時に点滅するように設定される。このＴＥＳＴランプには、ＬＥＤ３２３が割り当てられる。無線機能を付加する無線アダプタの表示機能を形成する電気部品であるＬＥＤ２０２がＩＣカートリッジ２００に設けられている一方、無線機能を付加する無線アダプタの表示機能を形成する電気部品であるＬＥＤ３２１，３２２，３２３が表示用プリント配線基板３６に設けられている。これはつまり、無線機能を付加する無線アダプタの表示機能を形成する電気部品の一部であるＬＥＤ３２１，３２２，３２３が電装部１００に配置されているということである。これら電装部１００のＬＥＤ３２１，３２２，３２３とＩＣカートリッジ２００のＬＥＤ２０２とが協働して無線アダプタの表示機能を発揮する。
【００６０】
また、ＩＣカートリッジ２００にＤＣ５Ｖの電圧を供給するためのＤＣ−ＤＣコンバータ３３０が表示用プリント配線基板３６に設置されている。これはつまり、無線機能を付加する無線アダプタの電源機能を形成する電気部品の一部であるＤＣ−ＤＣコンバータ３３０が電装部１００に配置されているということである。これら電装部１００のＤＣ-ＤＣコンバータ３３０とＩＣカートリッジ２００のＤＣ−ＤＣコンバータ２８０とが協働して無線アダプタの電源機能を発揮する。
【００６１】
（３）変形例
（３−１）変形例１Ａ
上記第１実施形態では、空気調和機１に無線機能を付加するための無線アダプタの機能分担について、電装部１００とＩＣカートリッジ２００とで行う場合が説明されている。例えば、ＩＣカートリッジ２００にＬＥＤ２０２が配置される場合について説明したが、例えば、ＬＥＤ群３２０に含まれるＬＥＤ数を一つ増やして、全ての表示機能を電装部１００に担わせるようにしてもよい。また、ＩＣカートリッジ２００にＷＰＳボタン２０１が配置される場合について説明したが、例えば、スイッチ群３１０のスイッチ３１２にＰＯＷＥＲランプの役割を割り当てて、全ての表示機能を電装部１００に担わせるようにしてもよい。また、ＩＣカートリッジ２００にＤＣ−ＤＣコンバータ２８０が配置される場合について説明したが、例えば、ＤＣ−ＤＣコンバータ２８０の役割をＤＣ−ＤＣコンバータ３４０に兼用させて、全ての電源機能を電装部１００に担わせるようにしてもよい。
【００６２】
（３−２）変形例１Ｂ
上記第１実施形態では、空気調和機１に無線機能を付加するための無線アダプタの表示機能の機能分担について、電装部１００とＩＣカートリッジ２００とで行う場合が説明されている。しかし、空気調和機１において、電装部１００とＩＣカートリッジ２００のみで無線アダプタの表示機能の機能分担を行うのではなく、電装部１００とＩＣカートリッジ２００とリモートコントローラ５で無線アダプタの機能分担を行ってもよい。例えば、リモートコントローラ５の液晶表示部５ａに、ＰＯＷＥＲランプ、ＲＵＮランプ、ＡＰランプ及びＴＥＳＴランプの一部又は全てを表示させることもできる。言い換えると、無線アダプタの表示機能を形成する複数の電気部品の一部又は全てがリモートコントローラ５に配置されてもよいということである。つまり、電装部１００とＩＣカートリッジ２００とリモートコントローラ５が協働して無線アダプタの表示機能を発揮してもよく、ＩＣカートリッジ２００とリモートコントローラ５が協働して無線アダプタの表示機能を発揮してもよく、又はリモートコントローラ５のみで無線アダプタの表示機能を発揮してもよいということである。
【００６３】
（３−３）変形例１Ｃ
上記第１実施形態では、空気調和機１に無線機能を付加するための無線アダプタのスイッチ機能の機能分担について、電装部１００とＩＣカートリッジ２００とで行う場合が説明されている。しかし、空気調和機１において、電装部１００とＩＣカートリッジ２００のみで無線アダプタのスイッチ機能の機能分担を行うのではなく、電装部１００とＩＣカートリッジ２００とリモートコントローラ５で無線アダプタの機能分担を行ってもよい。例えば、リモートコントローラ５の複数のボタン５ｂに、ＷＰＳボタン２０１及びＭＯＤＥボタンの一部又は全てを割り付けることもできる。言い換えると、無線アダプタのスイッチ機能を形成する複数の電気部品の一部又は全てがリモートコントローラ５に配置されてもよいということである。つまり、ＩＣカートリッジ２００とリモートコントローラ５が協働して無線アダプタのスイッチ機能を発揮してもよく、又はリモートコントローラ５のみで無線アダプタのスイッチ機能を発揮してもよいということである。なお、上記第１実施形態では、無線アダプタのスイッチ機能が２つの場合について説明したが、スイッチ機能を３つ以上持たせてもよく、その場合には電装部１００とＩＣカートリッジ２００とリモートコントローラ５が協働して無線アダプタのスイッチ機能を発揮するように構成することもできる。
【００６４】
（３−４）変形例１Ｄ
また、上記第１実施形態のように電装部１００とＩＣカートリッジ２００のみで無線アダプタの表示機能の機能分担を行うのではなく、空気調和機１において、電装部１００とＩＣカートリッジ２００とスマートフォン６で無線アダプタの機能分担を行ってもよい。例えば、スマートフォン６のタッチスクリーン６ａに、ＰＯＷＥＲランプ、ＲＵＮランプ、ＡＰランプ及びＴＥＳＴランプの一部又は全てを表示させることもできる。言い換えると、無線アダプタの表示機能を形成する複数の電気部品の一部又は全てがスマートフォン６に配置されてもよいということである。つまり、電装部１００とＩＣカートリッジ２００とスマートフォン６が協働して無線アダプタの表示機能を発揮してもよく、ＩＣカートリッジ２００とスマートフォン６が協働して無線アダプタの表示機能を発揮してもよく、又はスマートフォン６のみで無線アダプタの表示機能を発揮してもよいということである。
【００６５】
（３−５）変形例１Ｅ
また、上記第１実施形態のように電装部１００とＩＣカートリッジ２００のみで無線アダプタのスイッチ機能の機能分担を行うのではなく、空気調和機１において、電装部１００とＩＣカートリッジ２００とスマートフォン６で無線アダプタの機能分担を行ってもよい。例えば、スマートフォン６のタッチスクリーン６ａに、ＭＯＤＥボタン全てを割り付けることもできる。言い換えると、無線アダプタのスイッチ機能を形成する複数の電気部品の少なくとも一部がスマートフォン６に配置されてもよいということである。つまり、ＩＣカートリッジ２００とスマートフォン６が協働して無線アダプタのスイッチ機能を発揮してもよいということである。なお、上記第１実施形態では、無線アダプタのスイッチ機能が２つの場合について説明したが、スイッチ機能を３つ以上持たせてもよく、その場合には電装部１００とＩＣカートリッジ２００とスマートフォン６が協働して無線アダプタのスイッチ機能を発揮するように構成することもできる。また、スマートフォン６の場合には、インターネットによる空気調和機１とスマートフォン６の接続を確立する必要があるため、リモートコントローラ５のように、ＷＰＳボタン２０１をタッチスクリーン６ａに割り付けることはできない。
【００６６】
（３−６）変形例１Ｆ
上記第１実施形態では、ＩＣカートリッジ２００が挿抜されるコネクタ１５０は、表示用プリント配線基板３６に実装されている。しかし、本発明においては、ＩＣカートリッジ２００が挿抜されるコネクタが必ずしも表示用プリント配線基板３６などの配線基板に実装されていなくてもよい。例えば、図１１に示されているように、表示用プリント配線基板３６の端子台３６１にハーネス３６２によって接続されているコネクタ１５０Ａに対して、ＩＣカートリッジ２００が挿抜されるように構成されてもよい。このコネクタ１５０Ａは、例えば、本体ケーシング２ａに固定される。
【００６７】
（３−７）変形例１Ｇ
上記第１実施形態のＩＣカートリッジ２００では、接続端子２０３を露出するための絶縁ケース２１０に開口部２１７が形成されている。しかし、本発明に係るＩＣカートリッジの構成は、ＩＣカートリッジ２００のように接続端子２０３の露出部分だけに開口部２１７が形成されているものには限られない。例えば、図１２に示されているＩＣカートリッジ２００Ｂのように、接続端子２０３の周囲を覆わない絶縁ケース２１０Ｂが用いられてもよい。このＩＣカートリッジ２００Ｂの場合にも、電気回路２２０Ｂは、絶縁ケース２１０Ｂで覆われおり、ＩＣカートリッジ２００Ｂがコネクタ１５０Ｂに差し込まれた状態では接続端子２０３を含め電気回路２２０Ｂのいずれの部分にも作業者が触れることができない構造になっている。
【００６８】
（３−８）変形例１Ｈ
上述の説明では、ＩＣカートリッジ２００を引き抜くときに、作業者の力のみで引き抜くように構成されている場合について説明している。しかし、挿抜の方法はこのような態様に限られるものではなく、例えば、ＳＤ（Secure Digital）カードのように、一回押し込むとロックが掛かり、ロックが掛かった状態で再度押し込むとロックが外れてバネの力でカードが押し戻されるように作業者の力以外の動力を用いる構成となっていてもよい。
【００６９】
（４）特徴
（４−１）
以上説明したように、上述のＩＣカートリッジ２００，２００Ｂでは、絶縁ケース２１０，２１０Ｂが無線ＩＣチップ２５０及びアンテナ２３０を含む電気回路２２０，２２０Ｂの全体を覆っている。このことから、作業者がＩＣカートリッジ２００，２００Ｂを手で掴んで接続端子２０３をコネクタ１５０，１５０Ａ，１５０Ｂに挿入したり抜去したりしても作業者の手が接続端子２０３とコネクタ１５０，１５０Ａ，１５０Ｂが接続された後に電気回路２２０，２２０Ｂに接触することがないので、安全にＩＣカートリッジ２００，２００Ｂを取り扱うことができる。また、接続端子２０３がコネクタ１５０，１５０Ａ，１５０Ｂに挿入されることによって絶縁ケース２１０，２１０Ｂが環境調整装置である空気調和機１に支持される。そして、接続端子２０３がコネクタ１５０，１５０Ａ，１５０Ｂから抜去されることによって空気調和機１から絶縁ケース２１０，２１０Ｂが分離される。従って、ＩＣカートリッジ２００，２００Ｂの取り付け作業及び取り外し作業が容易になるので、無線機能を付加する作業を省くために従来のように無線アダプタの内蔵化を行う必要がなくなる。さらには、空気調和機１として無線に係る認証を受けるのではなくて、ＩＣカートリッジ２００，２００Ｂで無線に係る認証を受ければよくなる場合もある。通常、ＩＣカートリッジ２００，２００Ｂで、無線に係る認証を受ける方が、空気調和機１として無線に係る認証を受ける方よりも容易であるケースが多い。特に、バージョンアップをする場合にバージョンアップされた新たなＩＣカートリッジ２００，２００Ｂが認証を受けていれば、その認証を受けたＩＣカートリッジ２００，２００Ｂを空気調和機１に装着すればよいだけであるので、無線機能のバージョンアップが簡単に行える。以上の結果から、ＩＣカートリッジ２００，２００Ｂを用いていることで、安価に無線機能を環境調整装置に付加することができることが分かる。
【００７０】
（４−２）
また、絶縁ケース２１０は、電気回路２２０の周囲に沿面距離を延ばすための絶縁構造である凹凸構造２０４が形成されている。このＩＣカートリッジ２００では、絶縁ケース２１０の絶縁構造により電気回路２２０の周囲の沿面距離が延ばされるから、絶縁ケース２１０により電気回路２２０に対して十分な絶縁を確保することができる。なお、上記第１実施形態では、沿面距離を延ばすために凹凸構造２０４を用いているが、例えば、第２縁部２１２の縁２１２ａに向かって斜めに傾斜させる傾斜構造又はＣ字形状に折り返す折り返し構造などの凹凸構造２０４以外の絶縁構造を、沿面距離を延ばすための絶縁構造として適用してもよい。
【００７１】
（４−３）
上述のように、絶縁ケース２１０は、絶縁構造として、第２縁部２１２の縁２１２ａと電気回路２２０との間の内面に凹凸構造２０４を有している。従って、電気回路２２０から第２縁部２１２の縁２１２ａまでの沿面距離が凸部２１８及び凹部２１９の側面の分だけ延長されているので、絶縁ケース２１０が小型でも電気回路２２０と第２縁部２１２の縁２１２ａとが十分に隔てられている。その結果、電気回路２２０から縁２１２ａまでの距離を適切に設定して電気回路２２０と縁２１２ａとの間で十分な絶縁を確保することができ、第２縁部２１２を手で掴んだり押したりする作業者の安全を確保することができる。なお、上記第１実施形態では、凸部２１８及び凹部２１９が断面矩形の形状を呈しているが、断面が例えばサインカーブのような曲線状の凹凸であってもよく、凹凸構造２０４を形成するための凹部と凸部の形状は矩形に限られるものではない。
【００７２】
（４−４）
上記第１実施形態のＩＣカートリッジ２００では、接続端子２０３の配置されている第１縁部２１１の反対側にある第２縁部２１２に近接する場所までアンテナ２３０が延在されている。コネクタ１５０及びコネクタ１５０周辺の金属部分からアンテナ２３０を離して配置することができるので、アンテナ２３０で送受信される電波がコネクタ１５０やコネクタ１５０に接続されている回路などの影響を受けるのを抑制することができる。
【００７３】
（４−５）
ＩＣカートリッジ２００，２００Ｂにおいては、絶縁ケース２１０，２１０Ｂがコネクタ１５０，１５０Ａ，１５０Ｂに近づく向きに移動されることにより、接続端子２０３がコネクタ１５０，１５０Ａ，１５０Ｂに挿入される。また、ＩＣカートリッジ２００，２００Ｂは、コネクタ１５０，１５０Ａ，１５０Ｂに接続端子２０３が挿入された状態で少なくとも無線ＩＣチップ２５０が空気調和機１の内部に収納される。さらにＩＣカートリッジ２００，２００Ｂは、絶縁ケース２１０，２１０Ｂがコネクタ１５０，１５０Ａ，１５０Ｂから離れる向きに移動されることにより、接続端子２０３がコネクタ１５０，１５０Ａ，１５０Ｂから抜去されるように構成されている。
【００７４】
その結果、空気調和機１に対するＩＣカートリッジ２００，２００Ｂの取り付け取外しが簡単に行え、コネクタ１５０，１５０Ａ，１５０Ｂに接続端子２０３が挿入された状態で無線ＩＣチップ２５０を空気調和機１の内部に簡単に収納することができる。従って、ＩＣカートリッジ２００，２００Ｂのメンテナンス、ＩＣカートリッジ２００，２００Ｂの機能の向上及びＩＣカートリッジ２００，２００Ｂの不具合の修正を簡単に行うことができるとともに、無線ＩＣチップ２５０に対する十分な保護機能が得られる。
【００７５】
（４−６）
上記第１実施形態では、環境調整装置である空気調和機１がＩＣカートリッジ２００，２００Ｂを備えている。例えば、空気調和機１に無線機能を付加するために、各国によって方式は異なるものの、無線認証を要するケースがある。無線認証を得る場合に、空気調和機１について無線認証を受けることも、ＩＣカートリッジ２００，２００Ｂについて無線認証を受けるとことも可能な場合がある。このような場合、空気調和機１で無線認証を受けていると、無線機能のバージョンアップのときに再度空気調和機１で無線認証を取り直さなければならないケースが生じることがある。それに対して、ＩＣカートリッジ２００，２００Ｂで無線認証を受けていれば、バージョンアップ後のＩＣカートリッジ２００，２００Ｂに差し替えるだけで、空気調和機１の無線機能のバージョンアップを完了することができ、空気調和機１の無線機能のバージョンアップなどを安価に行える。上記（４−１）で説明した事項も合わせて、空気調和機１によれば、ＩＣカートリッジ２００，２００Ｂにより無線機能を安価にかつ安全に付加することができる。
【００７６】
（４−７）
上記第１実施形態の空気調和機１は、本体ケーシング２ａ内に設けられ、複数の電気部品が設置されている電装部１００を備えている。無線機能を付加する無線アダプタのスイッチ機能、表示機能及び電源機能を形成する複数の電気部品の少なくとも一部が電装部１００に配置されている。具体的には、スイッチ機能を形成する電気部品として、図９に示されているように、表示用プリント配線基板３６に配置されたスイッチ３１１を空気調和機１が備えている。また、表示機能を形成する電気部品として、表示用プリント配線基板３６に配置されたＬＥＤ３２１，３２２，３２３を空気調和機１が備えている。また、電源機能を形成する電気部品として、ＤＣ−ＤＣコンバータ３３０を空気調和機１が備えている。そして、ＩＣカートリッジ２００がコネクタ１５０に挿入された状態でＩＣカートリッジ２００と電装部１００が回路接続されてＩＣカートリッジ２００と電装部１００とが協働して無線アダプタの機能を発揮するように構成されている。
【００７７】
その結果、空気調和機１では、無線アダプタのスイッチ機能、表示機能及び電源機能を形成する複数の電気部品であるスイッチ３１１、ＬＥＤ３２１，３２２，３２３及びＤＣ−ＤＣコンバータ３３０が電装部１００に配置されていることから、ＩＣカートリッジ２００の電気部品点数を減らしてＩＣカートリッジ２００を簡素化して小型化することができている。このように、無線機能の付加に必要な電気部品の少なくとも一部が電装部１００に配置されることにより、空気調和機１のＩＣカートリッジ２００が安価で取り扱い易いものになる。
【００７８】
（４−８）
上記の変形例１Ｂ，１Ｃで説明した空気調和機１は、電装部１００との間でデータの送受信が行えるリモートコントローラ５を備えている。変形例１Ｂ，１Ｃの空気調和機１では、無線アダプタのスイッチ機能及び表示機能を形成する複数の電気部品の少なくとも一部がリモートコントローラ５に配置されている。ＩＣカートリッジ２００がコネクタ１５０に挿入された状態でＩＣカートリッジ２００と電装部１００が回路接続されてＩＣカートリッジ２００と電装部１００とリモートコントローラ５が協働して無線アダプタの機能を発揮するように構成されている。具体的には、変形例１Ｂにおいて、リモートコントローラ５の液晶表示部５ａが、無線アダプタの表示機能を形成する電気部品である。また、変形例１Ｃにおいて、リモートコントローラ５のボタン５ｂが、無線アダプタのスイッチ機能を形成する電気部品である。
【００７９】
その結果、無線アダプタのスイッチ機能及び表示機能を形成する複数の電気部品の少なくとも一部がリモートコントローラ５に配置されていることから、ＩＣカートリッジ２００の電気部品点数を減らしてＩＣカートリッジ２００を簡素化して小型化することができる。このように、無線機能の付加に必要な電気部品の少なくとも一部がリモートコントローラ５に配置されることにより、空気調和機１のＩＣカートリッジ２００が安価で取り扱い易いものになる。
【００８０】
（４−９）
上記の変形例１Ｄ，１Ｅで説明した空気調和機１において、ＩＣカートリッジ２００は、スマートフォン６との間でデータの送受信が行えるように構成されている。そして、無線アダプタのスイッチ機能及び表示機能の内の少なくとも一部がスマートフォン６で実現される。具体的には、変形例１Ｄにおいて、スマートフォン６のタッチスクリーン６ａが、無線アダプタの表示機能を形成する電気部品である。また、変形例１Ｅにおいて、スマートフォン６のタッチスクリーン６ａが、無線アダプタのスイッチ機能を形成する電気部品である。
【００８１】
その結果、無線アダプタのスイッチ機能及び表示機能を形成する複数の電気部品の少なくとも一部がスマートフォン６に配置されていることから、ＩＣカートリッジ２００の電気部品点数を減らしてＩＣカートリッジ２００を簡素化して小型化することができる。このように、無線機能の付加に必要な電気部品の少なくとも一部がスマートフォン６に配置されることにより、空気調和機１のＩＣカートリッジ２００が安価で取り扱い易いものになる。
【００８２】
（４−１０）
第１実施形態の空気調和機１は、図６を用いて説明したように、本体ケーシング２ａの内部に設置されている金属部材を備えている。空気調和機１が備える金属部材は、例えば、室内熱交換器１６、銅配管１７、金属製の電装品箱１９０及び金属製の据え付け板２ｅである。コネクタ１５０は、ＩＣカートリッジ２００が挿入された状態でアンテナ２３０からこれらの金属部材までの距離が２０ｍｍ以上離れる場所に配置されている。
【００８３】
このように、空気調和機１では、コネクタ１５０にＩＣカートリッジ２００が挿入された状態でアンテナ２３０から金属部材までの距離が２０ｍｍ以上離れることから、アンテナ２３０で送受信される電波が金属部材から受ける影響を十分に抑制することができ、送受信される電波の良好な状態を保ち易くなる。
【００８４】
＜第２実施形態＞
（５）空気清浄機の外観
次に、本発明の第２実施形態に係る環境調整装置として、空気清浄機を例に挙げて説明する。第２実施形態に係る空気清浄機は、屋内の環境の調整に使用される情報として、例えば、電源のオン/オフ、風量、風向、加湿を行うか否か、コロナ放電を行なうか否か、及びストリーマ放電を行なうか否かなどの情報の全部又は一部を、上述のＩＣカートリッジ２００を挿入することにより送受信するように構成される。なお、以下の説明において、上、下、左、右、正面（前）、背面（後）といった方向を示す語句を用いているが、これらの方向は、特にことわりのない限り、図１３に示す方向を意味する。
【００８５】
図１３は、空気清浄機の正面に向かって右斜め上から見た斜視図である。つまり、この斜視図に記載されている空気清浄機４００は、空気清浄機４００を基準として、左正面上方から見られていることになる。図１３に示されているように、空気清浄機４００は、本体ケーシング４１０と電装部４９０とリモートコントローラ４３０を備えている。この空気清浄機４００は、本体ケーシング４１０の脚部４１６を床面に置いて設置される床置きタイプである。
【００８６】
本体ケーシング４１０には、吸込口４１１と吹出口４１２が設けられている。吸込口４１１には、本体ケーシング４１０の左側面及び右側面に設けられている。空気清浄機４００は、吸込口４１１から吸込んだ室内空気を調和して吹出口４１２から吹出す空気調和機である。
【００８７】
（６）空気清浄機の内部構成
図１４は、空気清浄機４００の分解斜視図である。図１４に示されているように、本体ケーシング４１０は、前面パネル４１３、背面パネル４１４及び底フレーム４１５を含んでいる。また、電装部４９０は、操作パネル４２０と電装品ユニット４２５とを含んでいる。この空気清浄機４００には、例えば空気清浄モード、除湿モード及び加湿モードの運転モードが設定されており、操作パネル４２０又はリモートコントローラ４３０の操作によって運転モードが切り換えられる。空気清浄機４００は、これら前面パネル４１３、背面パネル４１４及び底フレーム４１５に囲まれた空間内に、電装品ユニット４２５、コロナ放電ユニット４３１、ストリーマ放電ユニット４３２、フィルタユニット４４０、前フレーム４５５、除湿フレーム４５６、後フレーム４５７、冷凍サイクルユニット４６０、加湿ユニット４７０及びファンユニット４８０を備えている。
【００８８】
コロナ放電ユニット４３１の内部においては、正極と負極電極間に発生する電位差によってコロナ放電を生じさせることができる。吸込口４１１から取り込まれた空気は、コロナ放電ユニット４３１を通過する。前面パネル４１３の背面側では前フレーム４５５にフィルタユニット４４０が収容されており、吸込口４１１から取り込まれてコロナ放電ユニット４３１を通過した空気は、フィルタユニット４４０に導かれるように構成されている。図１４に示されているフィルタユニット４４０は、塵埃や臭気などを取り除くために、例えば、前から順に配置されるプレフィルタと集塵フィルタと脱臭フィルタとで構成される。
【００８９】
前フレーム４５５の後部には除湿フレーム４５６が設けられており、前フレーム４５５と除湿フレーム４５６との間に冷凍サイクルユニット４６０が配置されている。冷凍サイクルユニット４６０は、例えば、圧縮機、凝縮器、減圧機構及び蒸発器を順に冷媒が循環するように接続された冷媒回路を備えている。冷凍サイクルユニット４６０は、除湿運転時に冷媒回路において行われる冷凍サイクルによって、蒸発器などを用いて空気を露点以下に冷やし、結露した水分を除去することで除湿が行えるように構成されている。
【００９０】
除湿フレーム４５６の背面側に後フレーム４５７が設けられて除湿フレーム４５６と後フレーム４５７の間には加湿ユニット４７０が収容され、フィルタユニット４４０と冷凍サイクルユニット４６０を通過した空気が加湿ユニット４７０に導かれるように構成されている。加湿ユニット４７０は、通過する空気の加湿を行うために、例えば、加湿ロータ、貯留ケース及び水タンクを備えている。
【００９１】
除湿フレーム４５６の背面側には後フレーム４５７が設けられており、ファンユニット４８０は、後フレーム４５７と背面パネル４１４との間に収容されている。ファンユニット４８０は、吹出口４１２から吹出させる気流を発生し、吸込口４１１から吸い込まれてフィルタユニット４４０、冷凍サイクルユニット４６０及び加湿ユニット４７０を順に通過する空気の流れをつくる。このファンユニット４８０は、ファンモータ４８５（図１５参照）の回転速度を切り替えることで風量を切り換えられる。このファンユニット４８０の上方には、フラップ４８６が配置されている。フラップ４８６が閉じた状態では、吹出口４１２がフラップ４８６で覆われる。フラップ４８６は、フラップ用モータ４８７（図１５参照）により駆動され開閉動作及びスイング動作を行う。
【００９２】
図１５には、電装部４９０によって制御される各ブロックが示されている。電装部４９０の中には、制御部４２６が設けられている。制御部４２６は、操作パネル４２０に接続されている。制御部４２６は、冷凍サイクルユニット４６０の圧縮機用モータ４６１、加湿ユニット４７０の加湿ロータ用モータ４７１、ファンモータ４８５、フラップ用モータ４８７、コロナ放電ユニット４３１及びストリーマ放電ユニット４３２を制御する。
【００９３】
この電装部４９０は、ＩＣカートリッジ２００と、ＩＣカートリッジ２００が挿抜可能に装着されるコネクタ１５０とを含んでいる。
【００９４】
（７）電装部４９０による無線アダプタ機能の分担
空気清浄機４００においても、電装部４９０の複数の電気部品のうち、無線機能を付加する無線アダプタのスイッチ機能、表示機能及び電源機能を形成する複数の電気部品の一部が電装部４９０に配置されている。具体的には、スイッチ機能を形成する電気部品として、操作パネル４２０に配置されたボタン４２１を空気清浄機４００が備えている。また、表示機能を形成する電気部品として、操作パネル４２０に配置された液晶表示装置４２２を空気清浄機４００が備えている。また、電源機能を形成する電気部品として、電源部４２７を空気清浄機４００が備えている。そして、ＩＣカートリッジ２００がコネクタ１５０に挿入された状態でＩＣカートリッジ２００と電装部４９０が回路接続されてＩＣカートリッジ２００と電装部４９０とが協働して無線アダプタの機能を発揮するように構成されている。
【００９５】
このような空気清浄機４００では、無線アダプタのスイッチ機能、表示機能及び電源機能を形成する複数の電気部品であるボタン４２１、液晶表示装置４２２及び電源部４２７が電装部４９０に配置されていることから、ＩＣカートリッジ２００の電気部品点数を減らしてＩＣカートリッジ２００を簡素化して小型化することができている。このように、無線機能の付加に必要な電気部品の一部が電装部４９０に配置されることにより、空気清浄機４００のＩＣカートリッジ２００が安価で取り扱い易いものになる。
【００９６】
（８）リモートコントローラ４３０による無線アダプタ機能の分担
空気清浄機４００は、電装部４９０との間でデータの送受信が行えるリモートコントローラ４３０を備えている。空気清浄機４００では、無線アダプタのスイッチ機能及び表示機能を形成する複数の電気部品の一部がリモートコントローラ４３０に配置されてもよい。ＩＣカートリッジ２００がコネクタ１５０に挿入された状態でＩＣカートリッジ２００と電装部４９０が回路接続されてＩＣカートリッジ２００と電装部４９０とリモートコントローラ４３０が協働して無線アダプタの機能を発揮するように構成されてもよい。例えば、リモートコントローラ４３０の液晶表示部４３６を、無線アダプタの表示機能を形成する電気部品としてもよい。また、リモートコントローラ４３０のボタン４３５を、無線アダプタのスイッチ機能を形成する電気部品としてもよい。このように構成すると、無線アダプタのスイッチ機能及び表示機能を形成する複数の電気部品の一部がリモートコントローラ４３０に配置されていることから、ＩＣカートリッジ２００の電気部品点数を減らしてＩＣカートリッジ２００を簡素化して小型化することができる。このように、無線機能の付加に必要な電気部品の一部がリモートコントローラ４３０に配置されることにより、空気清浄機４００のＩＣカートリッジ２００が安価で取り扱い易いものになる。
【００９７】
（９）スマートフォン６による無線アダプタの機能分担
また、空気清浄機４００においても、ＩＣカートリッジ２００は、スマートフォン６との間でデータの送受信が行えるように構成されている。そして、無線アダプタのスイッチ機能及び表示機能の内の一部がスマートフォン６で実現されてもよい。そのようにする場合には、例えば、スマートフォン６のタッチスクリーン６ａを、無線アダプタの表示機能を形成する電気部品としてもよい。また、スマートフォン６のタッチスクリーン６ａを、無線アダプタのスイッチ機能を形成する電気部品としてもよい。このように構成すると、無線アダプタのスイッチ機能及び表示機能を形成する複数の電気部品の一部がスマートフォン６に配置されていることから、ＩＣカートリッジ２００の電気部品点数を減らしてＩＣカートリッジ２００を簡素化して小型化することができる。このように、無線機能の付加に必要な電気部品の一部がスマートフォン６に配置されることにより、空気清浄機４００のＩＣカートリッジ２００が安価で取り扱い易いものになる。
【００９８】
（１０）ＩＣカートリッジ２００の装着部
本体ケーシング４１０の左側面には、外蓋４１７と内壁４１８が設けられている。そして、内壁４１８には、スロット入口４１９が形成されている。このスロット入口４１９を使ってＩＣカートリッジ２００の挿抜が行われる。外蓋４１７と内壁４１８の間に作業空間ＷＳが形成されている。ＩＣカートリッジ２００がコネクタ１５０に差し込まれた状態において、この外蓋４１７で覆われる作業空間ＷＳに、ＩＣカートリッジ２００の第２縁部２１２が突出するように、本体ケーシング４１０が構成されている。作業者は、外蓋４１７を開けて第２縁部２１２を例えば手で掴むことにより、ＩＣカートリッジ２００の挿抜を行うことができる。なお、本体ケーシング４１０が金属板で形成される場合には、ＩＣカートリッジ２００が電波の送受信を行えるように、外蓋４１７は、例えば電波を透過させることのできる樹脂板で構成する。また、内壁４１８も電波を透過させることができる樹脂で形成することが好ましい。
【００９９】
＜第３実施形態＞
（１１）床暖房装置の概要
次に、本発明の第３実施形態に係る環境調整装置として、床暖房装置を例に挙げて説明する。第３実施形態に係る床暖房装置は、屋内の環境の調整に使用される情報として、床暖房を行うか否か、及び床温度の温度設定などの情報の全部又は一部を、上述のＩＣカートリッジ２００を挿入することにより送受信するように構成される。
【０１００】
図１６には、床暖房装置の回路構成の概要が示されている。床暖房装置５００は、水循環経路５０１とヒートポンプユニット５０２と床暖房機器５０３とを備えている。ヒートポンプユニット５０２で加熱された温水が水循環経路５０１を循環することにより、床暖房機器５０３が暖められる。
【０１０１】
床暖房機器５０３は、床パネル５０４と温水循環パイプ５０５を有する。また、ヒートポンプユニット５０２は、水熱交換器５０６と、膨張タンク５０７と、循環ポンプ５０８と、ヘッダ５０９，５１０とを有する。配管５１１，５１２によりヒートポンプユニット５０２と床暖房機器５０３とが接続されて、ヘッダ５０９，５１０と温水循環パイプ５０５が接続されて水熱交換器５０６と膨張タンク５０７と循環ポンプ５０８とヘッダ５０９，５１０と配管５１１，５１２と温水循環パイプ５０５を循環ポンプ５０８により温水が循環する水循環経路５０１が形成される。
【０１０２】
（１２）ヒートポンプユニットの構成
図１６に示されているヒートポンプユニット５０２は、圧縮機５２０と、水熱交換器５０６と、空気熱交換器５２２と、膨張弁５２３と、四路切換弁５２４と、アキュムレータ５２５を備える。すなわち、四路切換弁５２４の一方の１次ポートが圧縮機５２０の吐出管に接続され、四路切換弁５２４の他方の１次ポートがアキュムレータ５２５を介して圧縮機５２０の吸込管に接続されている。四路切換弁５２４の一方の２次ポートが水熱交換器５０６のガス出入口管に接続され、四路切換弁５２４の他方の２次ポートが空気熱交換器５２２のガス出入口管に接続されている。さらに、水熱交換器５０６の液出入口管と膨張弁５２３の一方出入口とが接続され、膨張弁５２３の他方出入口と空気熱交換器５２２の液出入口管が接続されている。また、空気熱交換器５２２にはファン５３３が付設されている。
【０１０３】
次に、この床暖房装置５００の床暖房運転を説明する。まず、四路切換弁５２４を図１の実線で示す状態に切換え、圧縮機５２０を駆動する。すると、圧縮機５２０から吐出された冷媒が、四路切換弁５２４、水熱交換器５０６、膨張弁５２３、空気熱交換器５２２、四路切換弁５２４へと順に流れる。このとき、水熱交換器５０６が凝縮器として機能し、空気熱交換器５２２が蒸発器として機能する。このような状態で、循環ポンプ５０８が駆動されると、膨張タンク５０７内の温水がヘッダ５０９を介して、配管５１１に流入して温水循環パイプ５０５を巡って配管５１２に返流される。配管５１２に戻ってきた温水は、ヘッダ５１０を介して水熱交換器５０６の熱交換路を流通する。このとき、凝縮器として機能している水熱交換器５０６の熱交換路を流れる温水が加熱され、加熱された温水が水熱交換器５０６から膨張タンク５０７へと供給される。上述のような温水の循環によって床暖房機器５０３が温められる。なお、この床暖房装置５００によれば、図１に示す状態から四路切換弁５２４を切換えて、圧縮機５２０を駆動することもできる。このとき、四路切換弁５２４の一方の２次ポートが空気熱交換器５２２のガス出入口管に接続され、四路切換弁５２４の他方の２次ポートが水熱交換器５０６のガス出入口管に接続されている。従って、圧縮機５２０から吐出された冷媒が、四路切換弁５２４、空気熱交換器５２２、膨張弁５２３、水熱交換器５０６、四路切換弁５２４へと順に流れる。このように、空気熱交換器５２２が凝縮器として機能し、水熱交換器５０６が蒸発器として機能するようにすれば、温水が冷却され、これによって床冷房運転を行うことが可能となる。
【０１０４】
床暖房装置５００は、上述のような床暖房運転を制御するための電装部５９０を備えている。電装部５９０は、床暖房装置５００の各部を制御する制御回路を搭載したプリント基板５９１を有している。プリント基板５９１には、ＩＣカートリッジ２００が挿抜可能に装着されるコネクタ５９２が実装されている。また、この床暖房装置５００は、プリント基板５９１に接続されたリモートコントローラ５８０を備えている。このような電装部５９０は、ヒートポンプユニット５０２に設置されている。
【０１０５】
ヒートポンプユニット５０２は、直方体状の外観を持っており、図１７に示されているように、空気熱交換部５４０と水熱交換部５５０とに分かれている。上述の電装部５９０のプリント基板５９１は、図１８に示されている水熱交換部５５０に設置された電装品箱５７１の中に取り付けられている。
【０１０６】
図１８に示されているように、水熱交換部５５０は、例えば、底板と側面板の一部が一体化されてなる底フレーム５６１と、配管カバー５６３と、天板５６４などからなる本体ケーシング５６５を有している。この本体ケーシング５６５の内部には、水熱交換器５０６、膨張タンク５０７、循環ポンプ５０８及びヘッダ５０９，５１０などの温水回路部品が収納されている。水熱交換器５０６は、例えば二重管熱交換器で構成される。この水熱交換器５０６は、下部断熱部材５５１および上部断熱部材５５２からなる断熱材組立体によって覆われており、周辺と断熱されている。
【０１０７】
膨張タンク５０７の上面には、施工時の温水回路への給水や水の補給を行うための給水口５６６が設けられており、この給水口５６６を閉塞するためのタンクキャップ５６７が取り付けられる。天板５６４には、膨張タンク５０７の給水口５６６に対応する位置に給水用開口５６８が設けられており、この給水用開口５６８を閉塞するための給水口蓋５６９が取り付けられる。循環ポンプ５０８は、底フレーム５６１に取り付けられて固定されている。
【０１０８】
また、床暖房装置５００の各部を制御する制御回路を搭載したプリント基板５９１を含む電装品を収納する電装品箱５７１が底フレーム５６１内部に取り付けられている。電装品箱５７１は、上面に防滴板５７２が取り付けられることによって、外部からの水の侵入を防止するように構成されている。
【０１０９】
（１３）電装部５９０による無線アダプタ機能の分担
床暖房装置５００においても、電装部５９０の複数の電気部品のうち、無線機能を付加する無線アダプタのスイッチ機能、表示機能及び電源機能を形成する複数の電気部品の一部が電装部５９０に配置されてもよい。例えば、電源機能を形成する電気部品として、電源部５９３を床暖房装置５００が備えている。そして、ＩＣカートリッジ２００がコネクタ１５０に挿入された状態でＩＣカートリッジ２００と電装部５９０が回路接続されてＩＣカートリッジ２００と電装部５９０とが協働して無線アダプタの機能を発揮するように構成されてもよい。
【０１１０】
このような床暖房装置５００では、無線アダプタのスイッチ機能、表示機能及び電源機能を形成する複数の電気部品である電源部５９３などが電装部５９０に配置されていることにより、ＩＣカートリッジ２００の電気部品点数を減らしてＩＣカートリッジ２００を簡素化して小型化することができている。このように、無線機能の付加に必要な電気部品の一部が電装部５９０に配置されることにより、床暖房装置５００のＩＣカートリッジ２００が安価で取り扱い易いものになる。
【０１１１】
（１４）リモートコントローラ５８０による無線アダプタ機能の分担
ヒートポンプユニット５０２は、電装部５９０との間でデータの送受信が行えるリモートコントローラ５８０を備えている。ヒートポンプユニット５０２では、無線アダプタのスイッチ機能及び表示機能を形成する複数の電気部品の一部がリモートコントローラ５８０に配置されている。ＩＣカートリッジ２００がコネクタ１５０に挿入された状態でＩＣカートリッジ２００と電装部５９０が回路接続されてＩＣカートリッジ２００と電装部５９０とリモートコントローラ５８０が協働して無線アダプタの機能を発揮するように構成されている。例えば、リモートコントローラ５８０の液晶表示装置５８１を、無線アダプタの表示機能を形成する電気部品として兼用してもよい。また、リモートコントローラ５８０のボタン５８２を、無線アダプタのスイッチ機能を形成する電気部品として兼用してもよい。このように構成すると、無線アダプタのスイッチ機能及び表示機能を形成する複数の電気部品の一部がリモートコントローラ５８０に配置されていることから、ＩＣカートリッジ２００の電気部品点数を減らしてＩＣカートリッジ２００を簡素化して小型化することができる。このように、無線機能の付加に必要な電気部品の一部がリモートコントローラ５８０に配置されることにより、床暖房装置５００のＩＣカートリッジ２００が安価で取り扱い易いものになる。
【０１１２】
（１５）スマートフォン６による無線アダプタの機能分担
また、ヒートポンプユニット５０２においても、ＩＣカートリッジ２００は、スマートフォン６との間でデータの送受信が行えるように構成されている。そして、無線アダプタのスイッチ機能及び表示機能の内の一部がスマートフォン６で実現される。例えば、スマートフォン６のタッチスクリーン６ａを、無線アダプタの表示機能を形成する電気部品として兼用してもよい。また、スマートフォン６のタッチスクリーン６ａを、無線アダプタのスイッチ機能を形成する電気部品として兼用してもよい。無線アダプタのスイッチ機能及び表示機能を形成する複数の電気部品の一部がスマートフォン６に配置されていることから、ＩＣカートリッジ２００の電気部品点数を減らしてＩＣカートリッジ２００を簡素化して小型化することができる。このように、無線機能の付加に必要な電気部品の一部がスマートフォン６に配置されることにより、ヒートポンプユニット５０２のＩＣカートリッジ２００が安価で取り扱い易いものになる。
【０１１３】
（１６）ＩＣカートリッジ２００の装着部
本体ケーシング５６５の左側面には、外蓋５５７と内壁５５８が設けられている（図１６参照）。そして、内壁５５８及び電装品箱５７１には、スロット入口５５９が形成されている。このスロット入口５５９を使ってＩＣカートリッジ２００の挿抜が行われる。外蓋５５７と内壁５５８の間に作業空間ＷＳが形成されている。ＩＣカートリッジ２００がコネクタ１５０に差し込まれた状態において、この外蓋５５７で覆われる作業空間ＷＳに、ＩＣカートリッジ２００の第２縁部２１２が突出するように、本体ケーシング５６５が構成されている。作業者は、外蓋５５７を開けて第２縁部２１２を例えば手で掴むことにより、ＩＣカートリッジ２００の挿抜を行うことができる。なお、本体ケーシング５６５が金属板で形成される場合には、ＩＣカートリッジ２００が電波の送受信を行えるように、外蓋５５７は、例えば電波を透過させることのできる樹脂板で構成する。また、内壁５５８も電波を透過させることができる樹脂で形成することが好ましい。
【０１１４】
＜第４実施形態＞
（１７）給湯システムの概要
次に、本発明の第４実施形態に係る環境調整装置として、給湯システムを例に挙げて説明する。第４実施形態に係る給湯システムは、屋内の環境の調整に使用される情報として、給湯を行うか否か、浴槽の湯張りを行うか否か、浴槽の湯の追い焚きを行うか否か、及び給湯温度の温度設定などの情報の全部又は一部を、上述のＩＣカートリッジ２００を挿入することにより送受信するように構成される。
【０１１５】
図１９には、第４実施形態に係る給湯システム６００の構成が示されえている。図１９の給湯システム６００は、住宅に設置されており、給湯器６０２、台所用リモートコントローラ６０４、及び浴室用リモートコントローラ６０５で構成される。このような給湯システム６００は、住宅の浴室に設置された浴槽６８１の浴槽吐出口６８２及び、台所等に設置された水栓６８５に温められた水を供給することができる。
【０１１６】
（１８）給湯器６０２の構成
給湯器６０２は、ヒートポンプユニット６２１、貯湯タンク６２２及び第２水熱交換器６２３を有している。図２０にはヒートポンプユニット６２１と貯湯タンク６２２の外観が示されている。ヒートポンプユニット６２１は、空気熱交換器６２５、圧縮機６２６、第１水熱交換器６２７及び膨張弁６２８を有しており、これらは順次接続されて冷凍回路を構成している。ヒートポンプユニット６２１は、空気熱交換器６２５において大気中の熱を汲み上げて冷媒に伝える。圧縮機６２６においては、冷媒が圧縮されて、高温化された冷媒が、第１水熱交換器６２７において配管６２９を流れる水に冷媒の熱を伝える。膨張弁６２８においては冷媒が減圧されて低温化され、低温化された冷媒が空気熱交換器６２５に送られる。
【０１１７】
貯湯タンク６２２内には水道源６４５から給水がされる。貯湯タンク６２２内に給水された水は、配管６２９に送られ、第１水熱交換器６２７で沸き上げられて湯となる。貯湯タンク６２２に貯湯された水（湯）は、給湯器６０２を利用するユーザの要求に応じて、水栓６８５に提供されたり、浴槽６８１に提供されたりする。また、浴槽６８１内に貯められた水は、ユーザの要求に応じて、浴槽６８１の浴槽回収口６８３から浴槽循環路６３０を介して第２水熱交換器６２３に送られ、その後浴槽吐出口６８２を介して浴槽６８１内に戻される。この時、貯湯タンク６２２内の水は、貯湯タンク循環路６４０を介して第２水熱交換器６２３に送られた後、再度貯湯タンク６２２内に戻される。そのため、浴槽６８１内に貯められていた水は、第２水熱交換器６２３により貯湯タンク６２２内の高音の水と熱交換を行い、温められる（追い焚き動作）。
【０１１８】
ヒートポンプユニット６２１の本体ケーシング６５０内には、ＣＰＵやＲＯＭ等で構成されるマイクロコンピュータ６７１が取り付けられている。マイクロコンピュータ６７１は、ヒートポンプユニット６２１内の各機能部の制御や、貯湯タンク６２２内の水位センサ（図示せず）及び温度検知用サーミスタ（図示せず）の検知結果に基づいて沸き上げ動作、お湯はり動作及び追い焚き動作等の制御を行う。また、マイクロコンピュータ６７１は、台所用リモートコントローラ６０４及び浴室用リモートコントローラ６０５とも接続されており、給湯器６０２に関する情報を台所用リモートコントローラ６０４及び浴室用リモートコントローラ６０５に出力する。ここで、給湯器６０２に関する情報としては、給湯器６０２が湯張り動作や追い焚き動作等の各種動作を現在行っているか否かを示す情報、貯湯タンク６２２内の残湯量を示す情報、及び浴槽６８１内に貯められた水の現在の温度及びその量等が挙げられる。
【０１１９】
台所用リモートコントローラ６０４は、ユーザの利便性を考慮してユーザ宅の台所の側壁に取り付けられている。台所用リモートコントローラ６０４は、給湯器６０２を遠隔制御するためのものであって、給湯器６０２のマイクロコンピュータ６７１に接続されている。台所用リモートコントローラ６０４が有する機能としては、給湯を行うか否か、浴槽の湯張りを行うか否か、浴槽の湯の追い焚きを行うか否か、及び給湯温度などを設定する設定機能、並びに湯張り動作の終了、追い焚き動作の終了及び貯湯タンク６２２の湯量変化などを知らせるためのガイダンス機能が挙げられる。
【０１２０】
浴室用リモートコントローラ６０５は、台所用リモートコントローラ６０４と同様、給湯器６０２を遠隔制御するためのものであって、住宅の浴室内の側壁に取り付けられている。また、浴室用リモートコントローラ６０５は、上述の設定機能及びガイダンス機能を有している。
【０１２１】
（１９）電装部６９０による無線アダプタ機能の分担
給湯システム６００においても、電装部６９０の複数の電気部品のうち、無線機能を付加する無線アダプタのスイッチ機能、表示機能及び電源機能を形成する複数の電気部品の一部が電装部６９０に配置されてもよい。例えば、電源機能を形成する電気部品として、電源部６７２を給湯システム６００が備えている。そして、ＩＣカートリッジ２００がコネクタ１５０に挿入された状態でＩＣカートリッジ２００と電装部６９０が回路接続されてＩＣカートリッジ２００と電装部６９０とが協働して無線アダプタの機能を発揮するように構成されてもよい。
【０１２２】
このような給湯システム６００では、無線アダプタのスイッチ機能、表示機能及び電源機能を形成する複数の電気部品である電源部６７２などが電装部６９０に配置されていることにより、ＩＣカートリッジ２００の電気部品点数を減らしてＩＣカートリッジ２００を簡素化して小型化することができている。このように、無線機能の付加に必要な電気部品の一部が電装部６９０に配置されることにより、給湯システム６００のＩＣカートリッジ２００が安価で取り扱い易いものになる。
【０１２３】
（２０）電装部６９０による無線アダプタ機能の分担
給湯システム６００においても、電装部６９０の複数の電気部品のうち、無線機能を付加する無線アダプタのスイッチ機能、表示機能及び電源機能を形成する複数の電気部品の一部が電装部６９０に配置されてもよい。例えば、電源機能を形成する電気部品として、電源部６７２を給湯システム６００が備えている。そして、ＩＣカートリッジ２００がコネクタ１５０に挿入された状態でＩＣカートリッジ２００と電装部６９０が回路接続されてＩＣカートリッジ２００と電装部６９０とが協働して無線アダプタの機能を発揮するように構成されてもよい。
【０１２４】
このような給湯システム６００では、無線アダプタのスイッチ機能、表示機能及び電源機能を形成する複数の電気部品である電源部６７２などが電装部６９０に配置されていることにより、ＩＣカートリッジ２００の電気部品点数を減らしてＩＣカートリッジ２００を簡素化して小型化することができている。このように、無線機能の付加に必要な電気部品の一部が電装部６９０に配置されることにより、給湯システム６００のＩＣカートリッジ２００が安価で取り扱い易いものになる。
【０１２５】
（２１）リモートコントローラによる無線アダプタ機能の分担
ヒートポンプユニット６２１は、電装部６９０との間でデータの送受信が行える台所用リモートコントローラ６０４及び浴室用リモートコントローラ６０５を備えている。ヒートポンプユニット６２１では、無線アダプタのスイッチ機能及び表示機能を形成する複数の電気部品の一部が台所用リモートコントローラ６０４及び浴室用リモートコントローラ６０５に配置されている。ＩＣカートリッジ２００がコネクタ１５０に挿入された状態でＩＣカートリッジ２００と電装部６９０が回路接続されてＩＣカートリッジ２００と電装部６９０と台所用リモートコントローラ６０４及び浴室用リモートコントローラ６０５が協働して無線アダプタの機能を発揮するように構成されている。例えば、台所用リモートコントローラ６０４及び浴室用リモートコントローラ６０５の液晶表示装置６０６，６０７を、無線アダプタの表示機能を形成する電気部品として兼用してもよい。また、台所用リモートコントローラ６０４及び浴室用リモートコントローラ６０５のボタン６０８，６０９を、無線アダプタのスイッチ機能を形成する電気部品として兼用してもよい。このように構成すると、無線アダプタのスイッチ機能及び表示機能を形成する複数の電気部品の一部が台所用リモートコントローラ６０４及び浴室用リモートコントローラ６０５に配置されていることから、ＩＣカートリッジ２００の電気部品点数を減らしてＩＣカートリッジ２００を簡素化して小型化することができる。このように、無線機能の付加に必要な電気部品の一部が台所用リモートコントローラ６０４及び浴室用リモートコントローラ６０５に配置されることにより、ヒートポンプユニット６２１のＩＣカートリッジ２００が安価で取り扱い易いものになる。
【０１２６】
（２２）スマートフォン６による無線アダプタの機能分担
また、ヒートポンプユニット６２１においても、ＩＣカートリッジ２００は、スマートフォン６との間でデータの送受信が行えるように構成されている。そして、無線アダプタのスイッチ機能及び表示機能の内の一部がスマートフォン６で実現される。例えば、スマートフォン６のタッチスクリーン６ａを、無線アダプタの表示機能を形成する電気部品として兼用してもよい。また、スマートフォン６のタッチスクリーン６ａを、無線アダプタのスイッチ機能を形成する電気部品として兼用してもよい。無線アダプタのスイッチ機能及び表示機能を形成する複数の電気部品の一部がスマートフォン６に配置されていることから、ＩＣカートリッジ２００の電気部品点数を減らしてＩＣカートリッジ２００を簡素化して小型化することができる。このように、無線機能の付加に必要な電気部品の一部がスマートフォン６に配置されることにより、ヒートポンプユニット６２１のＩＣカートリッジ２００が安価で取り扱い易いものになる。
【０１２７】
（２３）ＩＣカートリッジ２００の装着部
本体ケーシング６５０の前面には、外蓋６５１と内壁６５２が設けられている。そして、内壁６５２には、スロット入口６５３が形成されている。このスロット入口６５３を使ってＩＣカートリッジ２００の挿抜が行われる。外蓋６５１と内壁６５２の間に作業空間ＷＳが形成されている。ＩＣカートリッジ２００がコネクタ１５０に差し込まれた状態において、この外蓋６５１で覆われる作業空間ＷＳに、ＩＣカートリッジ２００の第２縁部２１２が突出するように、本体ケーシング６５０が構成されている。作業者は、外蓋６５１を開けて第２縁部２１２を例えば手で掴むことにより、ＩＣカートリッジ２００の挿抜を行うことができる。なお、本体ケーシング６５０が金属板で形成される場合には、ＩＣカートリッジ２００が電波の送受信を行えるように、外蓋６５１は、例えば電波を透過させることのできる樹脂板で構成する。また、内壁６５２も電波を透過させることができる樹脂で形成することが好ましい。
【０１２８】
＜第５実施形態＞
（２４）調湿装置の概要
次に、本発明の第５実施形態に係る環境調整装置として、調湿装置を例に挙げて説明する。第５実施形態に係る調湿装置は、屋内の環境の調整に使用される情報として、換気を行うか否か、調湿を行うか否か、及び室内湿度の設定湿度などの情報の全部又は一部を、上述のＩＣカートリッジ２００を挿入することにより送受信するように構成される。
【０１２９】
図２１には、第５実施形態に係る調湿装置７００の構成が示されえている。図２１の調湿装置７００は、調湿装置７００は、圧縮機７０１、四路切換弁７０２、第１吸着熱交換器７０３、第２吸着熱交換器７０４、４つの逆止弁からなるブリッジ回路７０５、主膨張弁７０６、再加熱用熱交換器７０７及び再加熱用膨張弁７０８を含む冷媒回路７１０を備えている。この調湿装置７００は、室内を除湿する除湿運転と、室内を加湿する加湿運転とを切換可能に構成されている。
【０１３０】
そのため、図２２に示されているように、調湿装置７００は、本体ケーシング７２０を備えており、本体ケーシング７２０の天面に、調湿した供給空気ＳＡを室内に供給するための給気接続口７２１、排出空気ＥＡを室外に排出するための排気接続口７２２、室外空気ＯＡを取り込むための外気接続口７２３、室内空気ＲＡを取り込むための内気接続口７２４が設けられている。
【０１３１】
（２５）除湿運転
除湿運転は、室外の温度と湿度とが比較的高い条件下で実行される。除湿運転では、室外空気ＯＡが除湿され、除湿後の供給空気ＳＡが室内へ供給される。同時に、室内空気ＲＡが排出空気ＥＡとして室外へ排出される。除湿運転では、第１状態と第２状態とが所定間隔で交互に切り換えられる。
【０１３２】
除湿運転の第１状態における冷媒回路７１０では、四路切換弁７０２が第１状態（実線の接続状態）に設定され、再加熱用膨張弁７０８が閉じられて、主膨張弁７０６が所定の開度まで開かれる。圧縮機７０１で圧縮された冷媒は、第２吸着熱交換器７０４からブリッジ回路７０５と主膨張弁７０６とを通過して、再びブリッジ回路７０５を通過した後、第１吸着熱交換器７０３から四路切換弁７０２を介して圧縮機７０１に戻る。圧縮機７０１で圧縮された冷媒が第２吸着熱交換器７０４で凝縮して放熱し、主膨張弁７０６で減圧された冷媒が第１吸着熱交換器７０３で蒸発する。
【０１３３】
除湿運転の第１状態において、外気接続口７２３から取り込まれた室外空気ＯＡは、再加熱用熱交換器７０７及び第１吸着熱交換器７０３を通過するが、このとき、第１吸着熱交換器７０３では、空気中の水蒸気が吸着剤に吸着される。第１吸着熱交換器７０３で除湿された空気は、供給空気ＳＡとして給気接続口７２１から室内に供給される。
【０１３４】
除湿運転の第１状態において、内気接続口７２４から取り込まれた室内空気ＲＡは、第２吸着熱交換器７０４を通過するが、このとき、第２吸着熱交換器７０４では、吸着剤から空気中へ水蒸気が脱離し、吸着剤が再生される。第２吸着熱交換器７０４を通過することにより脱離した水蒸気を含む空気は、排出空気ＥＡとして排気接続口７２２から室外空間へ排出される。
【０１３５】
除湿運転の第２状態における冷媒回路７１０では、四路切換弁７０２が第２状態（破線の接続状態）に設定され、再加熱用膨張弁７０８が閉じられて、主膨張弁７０６が所定の開度まで開かれる。圧縮機７０１で圧縮された冷媒は、第１吸着熱交換器７０３からブリッジ回路７０５と主膨張弁７０６とを通過して、再びブリッジ回路７０５を通過した後、第２吸着熱交換器７０４から四路切換弁７０２を介して圧縮機７０１に戻る。圧縮機７０１で圧縮された冷媒が第１吸着熱交換器７０３で凝縮して放熱し、主膨張弁７０６で減圧された冷媒が第２吸着熱交換器７０４で蒸発する。
【０１３６】
除湿運転の第２状態において、外気接続口７２３から取り込まれた室外空気ＯＡは、再加熱用熱交換器７０７及び第２吸着熱交換器７０４を通過するが、このとき、第２吸着熱交換器７０４では、空気中の水蒸気が吸着剤に吸着される。第２吸着熱交換器７０４で除湿された空気は、供給空気ＳＡとして給気接続口７２１から室内に供給される。
【０１３７】
除湿運転の第２状態において、内気接続口７２４から取り込まれた室内空気ＲＡは、第１吸着熱交換器７０３を通過するが、このとき、第１吸着熱交換器７０３では、吸着剤から空気中へ水蒸気が脱離し、吸着剤が再生される。第１吸着熱交換器７０３を通過することにより脱離した水蒸気を含む空気は、排出空気ＥＡとして排気接続口７２２から室外空間へ排出される。
【０１３８】
（２６）加湿運転
加湿運転は、室外の温度と湿度とが比較的低い条件下で実行される。加湿運転では、室外空気ＯＡが加湿され、加湿後の供給空気ＳＡが室内へ供給される。同時に、室内空気ＲＡが排出空気ＥＡとして室外へ排出される。加湿運転では、第１状態と第２状態とが所定間隔で交互に切り換えられる。
【０１３９】
加湿運転の第１状態における冷媒回路７１０では、四路切換弁７０２が第２状態（破線の接続状態）に設定され、主膨張弁７０６が閉じられ、再加熱用膨張弁７０８が所定の開度まで開かれる。圧縮機７０１で圧縮された冷媒は、第１吸着熱交換器７０３からブリッジ回路７０５と再加熱用熱交換器７０７と再加熱用膨張弁７０８とを通過して、再びブリッジ回路７０５を通過した後、第２吸着熱交換器７０４から四路切換弁７０２を介して圧縮機７０１に戻る。
【０１４０】
第１吸着熱交換器７０３で冷媒が放熱し、再加熱用熱交換器７０７では、気液二相状態の高圧冷媒が室外空気ＯＡに放熱し、再加熱用膨張弁７０８で減圧された冷媒は、第２吸着熱交換器７０４で蒸発する。
【０１４１】
加湿運転の第１状態において、外気接続口７２３から取り込まれた室外空気ＯＡは、再加熱用熱交換器７０７及び第１吸着熱交換器７０３を通過するが、このとき、室外空気ＯＡが再加熱用熱交換器７０７によって加熱され、放熱器として機能している第１吸着熱交換器７０３では、吸着剤から空気中へ水蒸気が脱離される。第１吸着熱交換器７０３で加湿された空気は、供給空気ＳＡとして給気接続口７２１から室内に供給される。
【０１４２】
加湿運転の第１状態において、内気接続口７２４から取り込まれた室内空気ＲＡは、第２吸着熱交換器７０４を通過するが、このとき、第２吸着熱交換器７０４では、空気中の水蒸気が吸着剤に吸着され、この吸着剤に水分が付与される。第２吸着熱交換器７０４を通過することにより吸着剤に水分を付与した空気は、排出空気ＥＡとして排気接続口７２２から室外空間へ排出される。
【０１４３】
加湿運転の第２状態における冷媒回路７１０では、四路切換弁７０２が第１状態（実線の接続状態）に設定され、主膨張弁７０６が閉じられ、再加熱用膨張弁７０８が所定の開度まで開かれる。圧縮機７０１で圧縮された冷媒は、第２吸着熱交換器７０４からブリッジ回路７０５と再加熱用熱交換器７０７と再加熱用膨張弁７０８とを通過して、再びブリッジ回路７０５を通過した後、第１吸着熱交換器７０３から四路切換弁７０２を介して圧縮機７０１に戻る。
【０１４４】
第２吸着熱交換器７０４で冷媒が放熱し、再加熱用熱交換器７０７では、気液二相状態の高圧冷媒が室外空気ＯＡに放熱し、再加熱用膨張弁７０８で減圧された冷媒は、第１吸着熱交換器７０３で蒸発する。
【０１４５】
加湿運転の第２状態において、外気接続口７２３から取り込まれた室外空気ＯＡは、再加熱用熱交換器７０７及び第２吸着熱交換器７０４を通過するが、このとき、室外空気ＯＡが再加熱用熱交換器７０７によって加熱され、放熱器として機能している第２吸着熱交換器７０４では、吸着剤から空気中へ水蒸気が脱離される。第２吸着熱交換器７０４で加湿された空気は、供給空気ＳＡとして給気接続口７２１から室内に供給される。
【０１４６】
加湿運転の第２状態において、内気接続口７２４から取り込まれた室内空気ＲＡは、第１吸着熱交換器７０３を通過するが、このとき、第１吸着熱交換器７０３では、空気中の水蒸気が吸着剤に吸着され、この吸着剤に水分が付与される。第１吸着熱交換器７０３を通過することにより吸着剤に水分を付与した空気は、排出空気ＥＡとして排気接続口７２２から室外空間へ排出される。
【０１４７】
（２７）調湿装置７００の制御
図２１に示すように、調湿装置７００は、ＣＰＵやＲＯＭを用いて構成されるマイクロコンピュータ７４０と、各種のセンサとを備えている。マイクロコンピュータ７４０は、運転条件並びに複数の湿度センサ（図示せず）及び複数の温度センサ（図示せず）の検出結果に応じて、圧縮機７０１の運転容量や主膨張弁７０６及び再加熱用膨張弁７０８の開度を調節する。また、マイクロコンピュータ７４０は、運転条件に応じて、複数のダンパ（図示せず）の開閉状態や、複数のファン（図示せず）の風量を調節する。このマイクロコンピュータ７４０では、種々のセンサの検出値に基づいて、調湿装置７００の必要な調湿能力（除湿運転時の除湿負荷や加湿運転時の加湿負荷）が求められる。そして、マイクロコンピュータ７４０は、この調湿能力を満たすように圧縮機７０１の運転周波数を制御する。
【０１４８】
（２８）電装部７９０による無線アダプタ機能の分担
調湿装置７００においても、電装部７９０の複数の電気部品のうち、無線機能を付加する無線アダプタのスイッチ機能、表示機能及び電源機能を形成する複数の電気部品の一部が電装部７９０に配置されてもよい。例えば、電源機能を形成する電気部品として、電源部７９３を調湿装置７００が備えている。そして、ＩＣカートリッジ２００がコネクタ１５０に挿入された状態でＩＣカートリッジ２００と電装部７９０が回路接続されてＩＣカートリッジ２００と電装部７９０とが協働して無線アダプタの機能を発揮するように構成されてもよい。
【０１４９】
このような調湿装置７００では、無線アダプタのスイッチ機能、表示機能及び電源機能を形成する複数の電気部品である電源部７９３などが電装部７９０に配置されていることにより、ＩＣカートリッジ２００の電気部品点数を減らしてＩＣカートリッジ２００を簡素化して小型化することができている。このように、無線機能の付加に必要な電気部品の一部が電装部７９０に配置されることにより、調湿装置７００のＩＣカートリッジ２００が安価で取り扱い易いものになる。
【０１５０】
（２９）電装部７９０による無線アダプタ機能の分担
調湿装置７００においても、電装部７９０の複数の電気部品のうち、無線機能を付加する無線アダプタのスイッチ機能、表示機能及び電源機能を形成する複数の電気部品の一部が電装部７９０に配置されてもよい。例えば、電源機能を形成する電気部品として、電源部７９３を調湿装置７００が備えている。そして、ＩＣカートリッジ２００がコネクタ１５０に挿入された状態でＩＣカートリッジ２００と電装部７９０が回路接続されてＩＣカートリッジ２００と電装部７９０とが協働して無線アダプタの機能を発揮するように構成されてもよい。
【０１５１】
このような調湿装置７００では、無線アダプタのスイッチ機能、表示機能及び電源機能を形成する複数の電気部品である電源部７９３などが電装部７９０に配置されていることにより、ＩＣカートリッジ２００の電気部品点数を減らしてＩＣカートリッジ２００を簡素化して小型化することができている。このように、無線機能の付加に必要な電気部品の一部が電装部７９０に配置されることにより、調湿装置７００のＩＣカートリッジ２００が安価で取り扱い易いものになる。
【０１５２】
（３０）リモートコントローラによる無線アダプタ機能の分担
調湿装置７００は、電装部７９０との間でデータの送受信が行えるリモートコントローラ７５０を備えている。調湿装置７００では、無線アダプタのスイッチ機能及び表示機能を形成する複数の電気部品の一部がリモートコントローラ７５０に配置されている。ＩＣカートリッジ２００がコネクタ１５０に挿入された状態でＩＣカートリッジ２００と電装部７９０が回路接続されてＩＣカートリッジ２００と電装部７９０とリモートコントローラ７５０が協働して無線アダプタの機能を発揮するように構成されている。例えば、リモートコントローラ７５０の液晶表示装置７５１を、無線アダプタの表示機能を形成する電気部品として兼用してもよい。また、リモートコントローラ７５０のボタン７５２を、無線アダプタのスイッチ機能を形成する電気部品として兼用してもよい。このように構成すると、無線アダプタのスイッチ機能及び表示機能を形成する複数の電気部品の一部がリモートコントローラ７５０に配置されていることから、ＩＣカートリッジ２００の電気部品点数を減らしてＩＣカートリッジ２００を簡素化して小型化することができる。このように、無線機能の付加に必要な電気部品の一部がリモートコントローラ７５０に配置されることにより、調湿装置７００のＩＣカートリッジ２００が安価で取り扱い易いものになる。
【０１５３】
（３１）スマートフォン６による無線アダプタの機能分担
また、調湿装置７００においても、ＩＣカートリッジ２００は、スマートフォン６との間でデータの送受信が行えるように構成されている。そして、無線アダプタのスイッチ機能及び表示機能の内の一部がスマートフォン６で実現される。例えば、スマートフォン６のタッチスクリーン６ａを、無線アダプタの表示機能を形成する電気部品として兼用してもよい。また、スマートフォン６のタッチスクリーン６ａを、無線アダプタのスイッチ機能を形成する電気部品として兼用してもよい。無線アダプタのスイッチ機能及び表示機能を形成する複数の電気部品の一部がスマートフォン６に配置されていることから、ＩＣカートリッジ２００の電気部品点数を減らしてＩＣカートリッジ２００を簡素化して小型化することができる。このように、無線機能の付加に必要な電気部品の一部がスマートフォン６に配置されることにより、調湿装置７００のＩＣカートリッジ２００が安価で取り扱い易いものになる。
【０１５４】
（３２）ＩＣカートリッジ２００の装着部
本体ケーシング７２０の前面には、外蓋７３１と内壁７３２が設けられている。そして、内壁７３２には、スロット入口７３３が形成されている。このスロット入口７３３を使ってＩＣカートリッジ２００の挿抜が行われる。外蓋７３１と内壁７３２の間に作業空間ＷＳが形成されている。ＩＣカートリッジ２００がコネクタ１５０に差し込まれた状態において、この外蓋７３１で覆われる作業空間ＷＳに、ＩＣカートリッジ２００の第２縁部２１２が突出するように、本体ケーシング７２０が構成されている。作業者は、外蓋７３１を開けて第２縁部２１２を例えば手で掴むことにより、ＩＣカートリッジ２００の挿抜を行うことができる。なお、本体ケーシング７２０が金属板で形成される場合には、ＩＣカートリッジ２００が電波の送受信を行えるように、外蓋７３１は、例えば電波を透過させることのできる樹脂板で構成する。また、内壁７３２も電波を透過させることができる樹脂で形成することが好ましい。
【０１５５】
図２３には、図２２に記載されている調湿装置７００の本体ケーシング７２０の外周の金属板を外した状態が示されている。調湿装置７００は、本体ケーシング７２０の内部に電装品箱７８０を備えている。マイクロコンピュータ７４０、電源部７９３及びコネクタ１５０は、この電装品箱７８０に収納されている。この電装品箱７８０にも、ＩＣカートリッジ２００の挿抜を行うためのスロット入口７３３が形成されている。
【０１５６】
（３３）特徴
（３３−１）
以上説明した第２実施形態乃至第５実施形態において、上述のＩＣカートリッジ２００では、絶縁ケース２１０が無線ＩＣチップ２５０及びアンテナ２３０を含む電気回路２２０の全体を覆っている。このことから、作業者がＩＣカートリッジ２００を手で掴んで接続端子２０３をコネクタ１５０に挿入したり抜去したりしても作業者の手が接続端子２０３とコネクタ１５０が接続された後に電気回路２２０に接触することがないので、安全にＩＣカートリッジ２００を取り扱うことができる。また、接続端子２０３がコネクタ１５０に挿入されることによって絶縁ケース２１０が環境調整装置である空気清浄機４００、床暖房装置５００、給湯システム６００及び調湿装置７００にそれぞれ支持される。そして、接続端子２０３がコネクタ１５０から抜去されることによって空気清浄機４００、床暖房装置５００、給湯システム６００及び調湿装置７００から絶縁ケース２１０がそれぞれ分離される。従って、ＩＣカートリッジ２００の取り付け作業及び取り外し作業が容易になるので、無線機能を付加する作業を省くために従来のように無線アダプタの内蔵化を行う必要がなくなる。さらには、空気清浄機４００、床暖房装置５００、給湯システム６００及び調湿装置７００としてそれぞれ無線に係る認証を受けるのではなくて、ＩＣカートリッジ２００で無線に係る認証を受ければよくなる場合もある。通常、ＩＣカートリッジ２００で、無線に係る認証を受ける方が、空気清浄機４００、床暖房装置５００、給湯システム６００及び調湿装置７００としてそれぞれに無線に係る認証を受ける方よりも容易である。特に、バージョンアップをする場合にバージョンアップされた新たなＩＣカートリッジ２００が認証を受けていれば、その認証を受けたＩＣカートリッジ２００を空気清浄機４００、床暖房装置５００、給湯システム６００及び調湿装置７００にそれぞれ装着すればよいだけであるので、無線機能のバージョンアップが簡単に行える。以上の結果から、ＩＣカートリッジ２００を用いていることで、安価に無線機能を環境調整装置に付加することができることが分かる。
【０１５７】
（３３−２）
上記第２実施形態乃至第５実施形態のＩＣカートリッジ２００でも、第１実施形態の場合と同様に、絶縁ケース２１０がコネクタ１５０に近づく向きに移動されることにより、接続端子２０３がコネクタ１５０に挿入される。また、ＩＣカートリッジ２００は、コネクタ１５０に接続端子２０３が挿入された状態で少なくとも無線ＩＣチップ２５０が空気清浄機４００、床暖房装置５００、給湯システム６００又は調湿装置７００の内部に収納される。さらにＩＣカートリッジ２００は、絶縁ケース２１０がコネクタ１５０から離れる向きに移動されることにより、接続端子２０３がコネクタコネクタ１５０から抜去されるように構成されている。
【０１５８】
その結果、空気清浄機４００、床暖房装置５００、給湯システム６００及び調湿装置７００に対するＩＣカートリッジ２００の取り付け取外しが簡単に行える。また、コネクタ１５０，に接続端子２０３が挿入された状態で無線ＩＣチップ２５０を、空気清浄機４００、床暖房装置５００、給湯システム６００又は調湿装置７００の内部に簡単に収納することができる。従って、ＩＣカートリッジ２００のメンテナンス、ＩＣカートリッジ２００の機能の向上及びＩＣカートリッジ２００の不具合の修正を簡単に行うことができるとともに、無線ＩＣチップ２５０に対する十分な保護機能が得られる。
【０１５９】
（３３−３）
上記第２実施形態乃至第５実施形態では、環境調整装置である空気清浄機４００、床暖房装置５００、給湯システム６００及び調湿装置７００のいずれもがＩＣカートリッジ２００を備えている。例えば、空気清浄機４００、床暖房装置５００、給湯システム６００及び調湿装置７００のうちのいずれか又はそれらの組み合わせに無線機能を付加するために、各国によって方式は異なるものの、無線認証を要するケースがある。無線認証を得る場合に、空気清浄機４００、床暖房装置５００、給湯システム６００及び調湿装置７００のいずれか又はそれらの組み合わせについて無線認証を受けることも、ＩＣカートリッジ２００について無線認証を受けるとことも可能な場合がある。このような場合、空気清浄機４００、床暖房装置５００、給湯システム６００及び調湿装置７００のいずれか又はそれらの組み合わせで無線認証を受けていると、無線機能のバージョンアップのときに再度空気清浄機４００、床暖房装置５００、給湯システム６００及び調湿装置７００のいずれか又はそれらの組み合わせで無線認証を取り直さなければならないケースが生じることがある。それに対して、ＩＣカートリッジ２００で無線認証を受けていれば、バージョンアップ後のＩＣカートリッジ２００に差し替えるだけで、空気清浄機４００、床暖房装置５００、給湯システム６００及び調湿装置７００のうちのいずれか又はそれらの組み合わせの無線機能のバージョンアップを完了することができ、無線機能のバージョンアップなどを安価に行える。上記（３３−１）で説明した事項も合わせて、空気清浄機４００、床暖房装置５００、給湯システム６００及び調湿装置７００農地のいずれか又はそれらの組み合わせによれば、ＩＣカートリッジ２００により無線機能を安価にかつ安全に付加することができる。
【０１６０】
（３３−４）
上記第２実施形態乃至第５実施形態の空気清浄機４００、床暖房装置５００、給湯システム６００及び調湿装置７００は、それぞれ本体ケーシング４１０，５６５，６５０，７２０内に設けられ、複数の電気部品が設置されている電装部４９０，５９０，６９０，７９０を備えている。無線機能を付加する無線アダプタのスイッチ機能、表示機能及び電源機能を形成する複数の電気部品の一部が電装部４９０，５９０，６９０，７９０に配置されている。例えば、スイッチ機能を形成する電気部品として、図１３に示されているように、操作パネル４２０に配置されたボタン４２１を空気清浄機４００が備えている。また、表示機能を形成する電気部品として、操作パネル４２０に配置された液晶表示装置４２２を空気清浄機４００が備えている。また、電源機能を形成する電気部品として、電源部４２７，５９３，６７２，７９３を空気清浄機４００、床暖房装置５００、給湯システム６００及び調湿装置７００がそれぞれ備えている。そして、ＩＣカートリッジ２００がコネクタ１５０に挿入された状態でＩＣカートリッジ２００と電装部４９０，５９０，６９０，７９０がそれぞれ回路接続されてＩＣカートリッジ２００と電装部１００とが協働して無線アダプタの機能を発揮するように構成されている。
【０１６１】
その結果、空気清浄機４００、床暖房装置５００、給湯システム６００及び調湿装置７００では、無線アダプタのスイッチ機能、表示機能及び電源機能を形成する複数の電気部品の一部が電装部４９０，５９０，６９０，７９０に配置されていることから、ＩＣカートリッジ２００の電気部品点数を減らしてＩＣカートリッジ２００を簡素化して小型化することができている。このように、無線機能の付加に必要な電気部品の一部が電装部１００に配置されることにより、空気調和機１のＩＣカートリッジ２００が安価で取り扱い易いものになる。
【０１６２】
（３３−５）
上記の第２実施形態乃至第５実施形態で説明した空気清浄機４００、床暖房装置５００、給湯システム６００及び調湿装置７００は、それぞれ電装部４９０，５９０，６９０，７９０との間でデータの送受信が行えるリモートコントローラ４３０，５８０，６０４，６０５，７５０をそれぞれ備えている。第２実施形態乃至第５実施形態の空気清浄機４００、床暖房装置５００、給湯システム６００及び調湿装置７００では、無線アダプタのスイッチ機能及び表示機能を形成する複数の電気部品の一部がそれぞれのリモートコントローラ４３０，５８０，６０４，６０５，７５０に配置されている。ＩＣカートリッジ２００がコネクタ１５０に挿入された状態でＩＣカートリッジ２００と電装部４９０，５９０，６９０，７９０が回路接続されてＩＣカートリッジ２００と電装部４９０，５９０，６９０，７９０とリモートコントローラ４３０，５８０，６０４，６０５，７５０がそれぞれ協働して無線アダプタの機能を発揮するように構成されている。具体的には、リモートコントローラ４３０，５８０，６０４，６０５，７５０の液晶表示装置４２２，５８１、６０６，６０７，７５１が、無線アダプタの表示機能を形成する電気部品である。また、リモートコントローラ４３０，５８０，６０４，６０５，７５０のボタン４３５，５８２，６０８，６０９，７５２が、無線アダプタのスイッチ機能をそれぞれ形成する電気部品である。
【０１６３】
その結果、無線アダプタのスイッチ機能及び表示機能を形成する複数の電気部品の一部がリモートコントローラ４３０，５８０，６０４，６０５，７５０に配置されていることから、ＩＣカートリッジ２００の電気部品点数を減らしてＩＣカートリッジ２００を簡素化して小型化することができる。このように、無線機能の付加に必要な電気部品の一部がリモートコントローラ５に配置されることにより、空気清浄機４００、床暖房装置５００、給湯システム６００及び調湿装置７００のＩＣカートリッジ２００が安価で取り扱い易いものになる。
【０１６４】
（３３−６）
上記の第２実施形態乃至第５実施形態で説明した空気清浄機４００、床暖房装置５００、給湯システム６００及び調湿装置７００において、ＩＣカートリッジ２００は、スマートフォン６との間でデータの送受信が行えるように構成されている。そして、無線アダプタのスイッチ機能及び表示機能の内の一部がスマートフォン６で実現される。具体的には、変形例１Ｄにおいて、スマートフォン６のタッチスクリーン６ａが、無線アダプタの表示機能を形成する電気部品である。また、スマートフォン６のタッチスクリーン６ａが、無線アダプタのスイッチ機能を形成する電気部品である。
【０１６５】
その結果、無線アダプタのスイッチ機能及び表示機能を形成する複数の電気部品の一部がスマートフォン６に配置されていることから、ＩＣカートリッジ２００の電気部品点数を減らしてＩＣカートリッジ２００を簡素化して小型化することができる。このように、無線機能の付加に必要な電気部品の一部がスマートフォン６に配置されることにより、空気清浄機４００、床暖房装置５００、給湯システム６００及び調湿装置７００のＩＣカートリッジ２００が安価で取り扱い易いものになる。
【０１６６】
（３３−７）
第２実施形態乃至第５実施形態の空気清浄機４００、床暖房装置５００、給湯システム６００及び調湿装置７００は、本体ケーシング４１０，５６５，６５０，７２０及びその内部に設けられている金属部材を備えている。例えば、本体ケーシング４１０，５６５，６５０，７２０が金属部材であるときは外蓋４１７，５５７，６５１，７３１を電波が透過する樹脂で形成する。コネクタ１５０は、ＩＣカートリッジ２００が挿入された状態でアンテナ２３０からこれらの金属部材までの距離が２０ｍｍ以上離れる場所に配置されている。このように、空気清浄機４００、床暖房装置５００、給湯システム６００及び調湿装置７００では、コネクタ１５０にＩＣカートリッジ２００が挿入された状態でアンテナ２３０から金属部材までの距離が２０ｍｍ以上離れることから、アンテナ２３０で送受信される電波が金属部材から受ける影響を十分に抑制することができ、送受信される電波の良好な状態を保ち易くなる。
【符号の説明】
【０１６７】
１  空気調和機
２  室内機
２ａ、４１０，５６５，６５０，７２０  本体ケーシング
２ｅ  据え付け板（金属部材の一例）
３  室外機
５，４３０，５８０，６０４，６０５，７５０  リモートコントローラ
６  スマートフォン
１０  冷凍回路
１６  室内熱交換器（金属部材の一例）
１７  銅配管（金属部材の一例）
１００，４９０，５９０，６９０，７９０  電装部
１５０  コネクタ
１９０  電装品箱（金属部材の一例）
２００，２００Ｂ  ＩＣカートリッジ
２０３  接続端子
２０４  凹凸構造
２１０，２１０Ｂ  絶縁ケース
２１１  第１縁部
２１２  第２縁部
２１２ａ  第２縁部の縁
２２０，２２０Ｂ  電気回路
２３０  アンテナ
２５０  無線ＩＣチップ
４００  空気清浄機
５００  床暖房装置
６００  給湯システム
７００  調湿装置
【先行技術文献】
【特許文献】
【０１６８】
【特許文献１】特開２０１４−３１９５７号公報
【特許文献２】特開２０１５−３１４８０号公報
【特許文献３】特開２０１４−１２０９６４号公報
【図１】
0006256445.tif 000002
【図２】
0006256445.tif 000003
【図３】
0006256445.tif 000004
【図４】
0006256445.tif 000005
【図５】
0006256445.tif 000006
【図６】
0006256445.tif 000007
【図７】
0006256445.tif 000008
【図８】
0006256445.tif 000009
【図９】
0006256445.tif 000010
【図１０】
0006256445.tif 000011
【図１１】
0006256445.tif 000012
【図１２】
0006256445.tif 000013
【図１３】
0006256445.tif 000014
【図１４】
0006256445.tif 000015
【図１５】
0006256445.tif 000016
【図１６】
0006256445.tif 000017
【図１７】
0006256445.tif 000018
【図１８】
0006256445.tif 000019
【図１９】
0006256445.tif 000020
【図２０】
0006256445.tif 000021
【図２１】
0006256445.tif 000022
【図２２】
0006256445.tif 000023
【図２３】
0006256445.tif 000024